(57)【要約】【課題】セルラーシステムにおける無線端末の認証機能並びに無線ＬＡＮシステムにおける大容量のデータ伝送機能を備えた無線通信を行うこと。【解決手段】無線ＬＡＮエリア２０４の無線端末４００と無線通信を行う無線ＬＡＮシステム２００と、この無線ＬＡＮシステム２００と交換装置３００を介して結合されるセルラーシステム１００とから構成される統合無線システムにおいて、外部端末から無線端末４００への通信要求又は無線端末４００から外部端末への通信要求を受け付け、この通信要求に応じてセルラーシステム１００経由又は無線ＬＡＮシステム２００経由のいずれかの通信経路を選択して通信を行う。【選択図】　　　図１
2004129163.tif 000002
【特許請求の範囲】
【請求項１】
無線ＬＡＮエリアの無線端末と無線通信を行う無線ＬＡＮシステムと、前記無線ＬＡＮシステムと交換装置を介して結合される移動体通信システムとから構成される統合無線通信システムであって、前記移動体通信システムは、外部端末から前記無線端末への通信要求があると、当該移動体通信システム経由又は前記無線ＬＡＮシステム経由のいずれかの通信経路を選択することを特徴とする統合無線通信システム。
【請求項２】
前記移動体通信システムは、前記無線ＬＡＮシステムと前記無線端末とのリンクが確立した場合に前記無線端末に割り当てられたＩＰアドレスを位置情報として登録する位置情報管理部を備え、前記無線ＬＡＮシステム経由の通信経路を選択した場合に前記位置情報管理部における前記無線端末のＩＰアドレスを前記外部端末に通知することを特徴とする請求項１記載の統合無線通信システム。
【請求項３】
前記移動体通信システムは、前記外部端末からの通信経路の要求に応じて前記いずれかの通信経路を選択することを特徴とする請求項１又は請求項２記載の統合無線通信システム。
【請求項４】
前記移動体通信システムは、前記外部端末から通信要求のあった情報の伝送データ容量に応じて前記いずれかの通信経路を選択することを特徴とする請求項１又は請求項２記載の統合無線通信システム。
【請求項５】
前記移動体通信システムは、前記外部端末から通信要求のあった情報の伝送データ容量が、予め定めた値より大きい場合に前記無線ＬＡＮシステム経由の通信経路を選択する一方、予め定めた値より小さい場合に前記移動体通信システム経由の通信経路を選択することを特徴とする請求項４記載の統合無線通信システム。
【請求項６】
前記移動体通信システムは、前記移動体通信システム及び無線ＬＡＮシステムが管理するネットワークの輻輳状況を判断して前記いずれかの通信経路を選択することを特徴とする請求項４又は請求項５記載の統合無線通信システム。
【請求項７】
前記移動体通信システムは、前記無線ＬＡＮシステム経由の通信経路を選択した場合において、前記位置情報管理部に前記無線端末のＩＰアドレスが登録されていない場合、当該移動体通信システムのページングチャネルを用いて前記無線端末を呼び出すと共に前記無線ＬＡＮシステムへのリンク確立を要求し、前記無線端末は、当該リンク確立要求に応じて前記無線ＬＡＮシステムとのリンクを確立した後当該無線ＬＡＮシステムから割り当てられたＩＰアドレスを前記移動体通信システムに通知し、前記移動体通信システムは、当該ＩＰアドレスを前記位置情報管理部に登録すると共に前記外部端末に通知することを特徴とする請求項２から請求項６のいずれかに記載の統合無線通信システム。
【請求項８】
前記移動体通信システムは、前記無線ＬＡＮシステム経由の通信経路を選択した場合において、前記位置情報管理部に前記無線端末のＩＰアドレスが登録されていない場合、当該移動体通信システムのページングチャネルを用いて前記無線端末を呼び出すと共に前記無線ＬＡＮシステムへのリンク確立を要求し、前記無線端末が当該リンク確立要求に応じて前記無線ＬＡＮシステムとのリンクを確立すると前記無線ＬＡＮシステムは、前記交換装置を介して当該無線ＬＡＮシステムから当該無線端末に割り当てられたＩＰアドレスを前記移動体通信システムに通知し、前記移動体通信システムは、当該ＩＰアドレスを前記位置情報管理部に登録すると共に前記外部端末に通知することを特徴とする請求項２から請求項６のいずれかに記載の統合無線通信システム。
【請求項９】
前記無線端末又は無線ＬＡＮシステムは、当該無線端末が無線ＬＡＮシステムとリンクを確立している間、前記ＩＰアドレスを一定間隔で前記移動体通信システムに通知し、前記移動体通信システムは、当該ＩＰアドレスの通知が途切れると前記位置情報管理部に登録された当該ＩＰアドレスを消去することを特徴とする請求項７又は請求項８記載の統合無線通信システム。
【請求項１０】
前記無線端末又は無線ＬＡＮシステムは、当該無線端末が無線ＬＡＮシステムとリンクを確立した際に前記ＩＰアドレスを通知すると共にリンクを開放した際にその旨を前記移動体通信システムに通知し、前記移動体通信システムは、前記無線端末又は無線ＬＡＮシステムからリンクを開放した旨の通知を受けると前記位置情報管理部に登録された当該ＩＰアドレスを消去することを特徴とする請求項７又は請求項８記載の統合無線通信システム。
【請求項１１】
前記移動体通信システムは、前記無線端末が前記無線ＬＡＮシステムとリンクを確立する際に当該無線端末の認証を行う認証管理部を備え、前記無線端末は、前記無線ＬＡＮシステムとリンクを確立する際に前記移動体通信システムに認証を要請し、前記移動体通信システムは、前記無線端末の認証を完了すると前記無線ＬＡＮシステムに前記交換装置を介して認証完了信号を通知し、前記無線ＬＡＮシステムは、前記認証完了信号に応じて前記無線端末にチャネルを割り当てることを特徴とする請求項７から請求項１０のいずれかに記載の統合無線通信システム。
【請求項１２】
前記移動体通信システムは、前記無線端末から外部端末への通信要求があると、当該移動体通信システム経由又は前記無線ＬＡＮシステム経由のいずれかの通信経路を選択することを特徴とする請求項１記載の統合無線通信システム。
【請求項１３】
前記無線端末から外部端末へ通信要求する際、当該無線端末が当該移動体通信システム経由又は前記無線ＬＡＮシステム経由のいずれかの通信経路を選択することを特徴とする請求項１記載の統合無線通信システム。
【請求項１４】
前記移動体通信システムは、前記無線端末が前記無線ＬＡＮシステムとリンクを確立する際に当該無線端末の認証を行う認証管理部を備え、前記無線ＬＡＮシステム経由の通信経路が選択された場合において、前記無線端末と前記無線ＬＡＮシステムとのリンクが確立されていない場合、前記無線端末は、前記無線ＬＡＮシステムとリンクを確立する際に前記移動体通信システムに認証を要請し、前記移動体通信システムは、前記無線端末の認証を完了すると前記無線ＬＡＮシステムに前記交換装置を介して認証完了信号を通知し、前記無線ＬＡＮシステムは、前記認証完了信号に応じて前記無線端末にチャネルを割り当てることを特徴とする請求項１２又は請求項１３記載の統合無線通信システム。
【請求項１５】
前記移動体通信システム又は無線端末は、前記無線端末からの通信経路の要求に応じて前記いずれかの通信経路を選択することを特徴とする請求項１２から請求項１４のいずれかに記載の統合無線通信システム。
【請求項１６】
前記移動体通信システム又は無線端末は、前記無線端末から通信要求のあった情報の伝送データ容量に応じて前記いずれかの通信経路を選択することを特徴とする請求項１２から請求項１４のいずれかに記載の統合無線通信システム。
【請求項１７】
前記移動体通信システム又は無線端末は、前記無線端末から通信要求のあった情報の伝送データ容量が、予め定めた値より大きい場合に前記無線ＬＡＮシステム経由の通信経路を選択する一方、予め定めた値より小さい場合に前記移動体通信システム経由の通信経路を選択することを特徴とする請求項１６記載の統合無線通信システム。
【請求項１８】
前記移動体通信システム又は無線端末は、前記移動体通信システム及び無線ＬＡＮシステムが管理するネットワークの輻輳状況を判断して前記いずれかの通信経路を選択することを特徴とする請求項１６又は請求項１７記載の統合無線通信システム。
【請求項１９】
前記無線端末は、前記無線ＬＡＮシステムとリンクを確立する際、現在位置で利用可能な無線ＬＡＮシステムの情報を前記移動体通信システムに要求し、前記移動体通信システムから応答された情報を用いて前記無線ＬＡＮシステムとのリンクを確立することを特徴とする請求項１２から請求項１８のいずれかに記載の統合無線通信システム。
【請求項２０】
前記移動体通信システムは、前記無線端末の現在位置で利用可能な無線ＬＡＮシステムの情報を常時又は一定間隔で当該無線端末に通知し、前記無線端末は、前記無線ＬＡＮシステムとリンクを確立する際、前記移動体通信システムから通知された情報を用いて前記無線ＬＡＮシステムとのリンクを確立することを特徴とする請求項１２から請求項１８のいずれかに記載の統合無線通信システム。
【請求項２１】
前記無線端末は、前記無線ＬＡＮシステムとのリンクを確立した後、当該無線ＬＡＮシステムから割り当てられたＩＰアドレスを前記移動体通信システムに通知する一方、前記移動体通信システムは、当該ＩＰアドレスを登録することを特徴とする請求項１９又は請求項２０記載の統合無線通信システム。
【請求項２２】
前記無線ＬＡＮシステムは、リンクを確立した前記無線端末に割り当てたＩＰアドレスを前記交換装置を介して前記移動体通信システムに通知し、前記移動体通信システムは、当該ＩＰアドレスを登録することを特徴とする請求項１９又は請求項２０記載の統合無線通信システム。
【請求項２３】
前記無線端末又は無線ＬＡＮシステムは、当該無線端末が無線ＬＡＮシステムとリンクを確立している間、前記ＩＰアドレスを一定間隔で前記移動体通信システムに通知し、前記移動体通信システムは、当該ＩＰアドレスの通知が途切れると前記位置情報管理部に登録された当該ＩＰアドレスを消去することを特徴とする請求項２１又は請求項２２記載の統合無線通信システム。
【請求項２４】
前記無線端末又は無線ＬＡＮシステムは、当該無線端末が無線ＬＡＮシステムとリンクを確立した際に前記ＩＰアドレスを通知すると共にリンクを開放した際にその旨を前記移動体通信システムに通知し、前記移動体通信システムは、前記無線端末又は無線ＬＡＮシステムからリンクを開放した旨の通知を受けると前記位置情報管理部に登録された当該ＩＰアドレスを消去することを特徴とする請求項２１又は請求項２２記載の統合無線通信システム。
【請求項２５】
前記移動体通信システムは、前記交換装置を介して得た前記無線端末のユーザにおける前記無線ＬＡＮシステムの契約状況を管理するユーザ情報管理部を備え、前記無線ＬＡＮシステム経由の通信経路が選択された場合に前記契約内容に応じて前記無線ＬＡＮシステムで提供される伝送帯域を差別化することを特徴とする請求項１から請求項２４のいずれかに記載の統合無線通信システム。
【請求項２６】
前記無線端末のユーザが契約している無線ＬＡＮシステムとの接続では提供される伝送帯域を保証する一方、契約していない無線ＬＡＮシステムとの接続では当該無線ＬＡＮシステムの利用状況に応じて伝送帯域を提供することを特徴とする請求項２５記載の統合無線通信システム。
【請求項２７】
前記移動体通信システムは、前記交換装置を介して得た前記無線端末のユーザにおける前記無線ＬＡＮシステムの契約状況を管理するユーザ情報管理部を備え、前記無線ＬＡＮシステム経由の通信経路が選択された場合に前記無線端末のユーザが契約している無線ＬＡＮシステムとの接続では当該ユーザからの情報伝送を優先することを特徴とする請求項１から請求項２４のいずれかに記載の統合無線通信システム。
【請求項２８】
前記移動体通信システムは、前記交換装置を介して得た前記無線端末のユーザにおける前記無線ＬＡＮシステムの契約状況及び前記無線端末のユーザに対する課金情報を管理するユーザ情報管理部を備え、前記無線端末のユーザが契約している無線ＬＡＮシステムとの接続では当該無線ＬＡＮシステムの契約料を前記課金情報として管理する一方、契約していない無線ＬＡＮシステムとの接続では前記無線端末から当該無線ＬＡＮシステムへの接続回数に応じた接続料を前記課金情報として管理することを特徴とする請求項１から請求項２４のいずれかに記載の統合無線通信システム。
【請求項２９】
前記移動体通信システムは、前記無線ＬＡＮシステムへの接続回数を、当該無線ＬＡＮシステムへの前記認証完了信号の通知を行う際又は無線ＬＡＮシステムからのＩＰアドレスの通知を受ける際に検出することを特徴とする請求項２８記載の統合無線通信システム。
【請求項３０】
前記移動体通信システムは、前記無線ＬＡＮシステムへの前記認証完了信号の通知又は無線ＬＡＮシステムからのＩＰアドレスの通知を受ける際に前記交換装置で検出される前記無線ＬＡＮシステムへの接続回数に応じて前記課金情報を管理することを特徴とする請求項２８記載の統合無線通信システム。
【請求項３１】
前記移動体通信システムは、前記交換装置を介して得た前記無線端末のユーザにおける前記無線ＬＡＮシステムの契約状況及び前記無線端末のユーザに対する課金情報を管理するユーザ情報管理部を備え、前記無線端末のユーザが契約している無線ＬＡＮシステムとの接続では当該無線ＬＡＮシステムの契約料を前記課金情報として管理する一方、契約していない無線ＬＡＮシステムとの接続では前記無線端末から当該無線ＬＡＮシステムへの接続時間に応じた接続料を前記課金情報として管理することを特徴とする請求項１から請求項２４のいずれかに記載の統合無線通信システム。
【請求項３２】
前記移動体通信システムは、前記無線ＬＡＮシステムへの接続時間を、前記無線ＬＡＮシステムからのＩＰアドレスの通知及び当該無線ＬＡＮシステムと前記無線端末とのリンク開放後の開放通知に基づいて検出することを特徴とする請求項３１記載の統合無線通信システム。
【請求項３３】
前記移動体通信システムは、前記無線ＬＡＮシステムからのＩＰアドレスの通知及び当該無線ＬＡＮシステムと前記無線端末とのリンク開放後の開放通知に基づいて前記交換装置で検出される前記無線ＬＡＮシステムへの接続時間に応じて前記課金情報を管理することを特徴とする請求項３１記載の統合無線通信システム。
【請求項３４】
無線ＬＡＮシステムと移動体通信システムとを結合する交換装置であって、前記移動体通信システムと無線ＬＡＮシステムとの間でユーザ情報を交換するユーザ情報交換部と、前記無線端末の認証要請に応じて前記移動体通信システムから送出される認証完了信号を前記無線ＬＡＮシステムに通知する認証完了信号通知部と、前記無線端末が前記無線ＬＡＮシステムとのリンク確立後に取得したＩＰアドレスを前記無線ＬＡＮシステムから前記移動体通信システムに通知するＩＰアドレス通知部と、前記無線ＬＡＮシステムにおける輻輳状況を前記移動体通信システムに通知する輻輳状況通知部と、を具備することを特徴とする交換装置。
【請求項３５】
前記ＩＰアドレス通知部は、前記無線ＬＡＮシステムから前記移動体通信システムへの前記ＩＰアドレスの通知回数に応じて前記無線端末の前記無線ＬＡＮシステムへの接続回数を検出する接続回数検出部を備えることを特徴とする請求項３４記載の交換装置。
【請求項３６】
前記ＩＰアドレス通知部は、前記無線端末が前記無線ＬＡＮシステムとのリンクを開放した後に前記無線ＬＡＮシステムから送出される開放通知を前記移動体通信システムに通知すると共に、前記無線ＬＡＮシステムから前記移動体通信システムへの前記ＩＰアドレスの通知から前記開放通知までの時間に応じて前記無線端末の前記無線ＬＡＮシステムへの接続時間を検出する接続時間検出部を備えることを特徴とする請求項３４又は請求項３５記載の交換装置。
【請求項３７】
前記認証完了信号通知部は、前記移動体通信システムから前記無線ＬＡＮシステムへの前記認証完了信号の通知回数に応じて前記無線端末の前記無線ＬＡＮシステムへの接続回数を検出する接続回数検出部を備えることを特徴とする請求項３４から請求項３６のいずれかに記載の交換装置。
【請求項３８】
無線ＬＡＮシステム及び移動体通信システムの双方に通信可能な無線端末であって、前記移動体通信システムのページングチャネルを用いた前記無線ＬＡＮシステムへのリンク確立要求に応じて当該無線ＬＡＮシステムとのリンクを要求するリンク確立要求部と、前記無線ＬＡＮシステムとのリンク確立の際に必要な認証を前記移動体通信システムに要求する信号を送信する認証要求信号送信部と、前記無線ＬＡＮシステムとのリンク確立後に取得したＩＰアドレスを前記移動体通信システムに通知するＩＰアドレス通知部と、を具備することを特徴とする無線端末。
【請求項３９】
前記移動体通信システム及び無線ＬＡＮシステム経由で外部端末に情報を発信する場合に当該情報の伝送データ容量に応じて前記移動体通信システム経由又は前記無線ＬＡＮシステム経由のいずれかの通信経路を選択する通信経路選択部を具備することを特徴とする請求項３８記載の無線端末。
【請求項４０】
前記通信経路選択部は、前記情報の伝送データ容量が、予め定めた値より大きい場合に前記無線ＬＡＮシステム経由の通信経路を選択する一方、予め定めた値より小さい場合に前記移動体通信システム経由の通信経路を選択することを特徴とする請求項３９記載の無線端末。
【請求項４１】
前記移動体通信システム及び無線ＬＡＮシステムの輻輳状況を受信する輻輳状況受信部を具備し、前記通信経路選択部は、前記輻輳状況を判断して前記セルラーシステム経由又は前記無線ＬＡＮシステム経由のいずれかの通信経路を選択することを特徴とする請求項３９又は請求項４０記載の無線端末。
【請求項４２】
前記情報の伝送データ容量を付与して前記移動体通信システム経由又は前記無線ＬＡＮシステム経由のいずれかの通信経路の選択を前記移動体通信システムに要求する信号を送信する通信経路選択要求信号送信部と、前記通信経路選択要求信号に対して前記移動体通信システムから応答される通信経路選択応答信号を受信する通信経路選択応答信号受信部と、前記通信経路選択応答信号の結果に応じて前記セルラーシステム経由又は前記無線ＬＡＮシステム経由のいずれかの通信経路を選択する通信経路選択部を具備することを特徴とする請求項３８記載の無線端末。
【請求項４３】
無線ＬＡＮエリアの無線端末と無線通信を行う無線ＬＡＮシステムと情報交換を行う交換装置を介して結合された移動体通信システムであって、前記交換装置を介して得た前記無線ＬＡＮシステムにおける前記無線端末のＩＰアドレスを位置情報として管理する位置情報管理部と、外部端末から前記無線端末への通信要求があると、当該移動体通信システム経由又は前記無線ＬＡＮシステム経由のいずれかの通信経路を選択する通信経路選択部と、前記無線ＬＡＮシステム経由の通信経路を選択した場合に前記位置情報管理部における前記無線端末のＩＰアドレスを前記外部端末に通知するＩＰアドレス通知部と、を具備することを特徴とする移動体通信システム。
【請求項４４】
前記通信経路選択部は、前記無線端末から外部端末への通信要求があると、当該移動体通信システム経由又は前記無線ＬＡＮシステム経由のいずれかの通信経路を選択することを特徴とする請求項４３記載の移動体通信システム。
【請求項４５】
前記通信経路選択部は、前記外部端末からの通信経路の要求又は前記無線端末からの通信経路の要求に応じて前記いずれかの通信経路を選択することを特徴とする請求項４３又は請求項４４記載の移動体通信システム。
【請求項４６】
前記通信経路選択部は、前記外部端末からの情報の伝送データ容量又は前記無線端末からの情報の伝送データ容量に応じて前記いずれかの通信経路を選択することを特徴とする請求項４３又は請求項４４記載の移動体通信システム。
【請求項４７】
前記通信経路選択部は、前記外部端末からの情報の伝送データ容量又は前記無線端末からの情報の伝送データ容量が、予め定めた値より大きい場合に前記無線ＬＡＮシステム経由の通信経路を選択する一方、予め定めた値より小さい場合に前記移動体通信システム経由の通信経路を選択することを特徴とする請求項４６記載の移動体通信システム。
【請求項４８】
前記通信経路選択部は、前記移動体通信システム及び無線ＬＡＮシステムが管理するネットワークの輻輳状況を判断して前記いずれかの通信経路を選択することを特徴とする請求項４６又は請求項４７記載の移動体通信システム。
【請求項４９】
無線ＬＡＮエリアの無線端末と無線通信を行う無線ＬＡＮシステムと、前記無線ＬＡＮシステムと交換装置を介して結合される移動体通信システムとから構成される統合無線システムにおける通信方法であって、外部端末から前記無線端末への通信要求又は前記無線端末から外部端末への通信要求を受け付け、前記通信要求に通信経路の要求があるか判断し、前記通信経路の要求に応じて当該移動体通信システム経由又は前記無線ＬＡＮシステム経由のいずれかの通信経路を選択して通信を行うことを特徴とする通信方法。
【請求項５０】
無線ＬＡＮエリアの無線端末と無線通信を行う無線ＬＡＮシステムと、前記無線ＬＡＮシステムと相互に情報交換を行う交換装置を介して結合される移動体通信システムとから構成される統合無線システムにおける通信方法であって、外部端末から前記無線端末への通信要求又は前記無線端末から外部端末への通信要求を受け付け、前記外部端末からの情報の伝送データ容量又は前記無線端末からの情報の伝送データ容量を判断し、当該伝送データ容量に応じて当該移動体通信システム経由又は前記無線ＬＡＮシステム経由のいずれかの通信経路を選択して通信を行うことを特徴とする通信方法。
【請求項５１】
前記伝送データ容量が、予め定めた値より大きい場合に前記無線ＬＡＮシステム経由の通信経路を選択する一方、予め定めた値より小さい場合に前記移動体通信システム経由の通信経路を選択することを特徴とする請求項５０記載の通信方法。
【請求項５２】
前記いずれかの通信経路を選択する際、前記移動体通信システム及び無線ＬＡＮシステムが管理するネットワークの輻輳状況を判断することを特徴とする請求項５０又は請求項５１記載の通信方法。
【請求項５３】
無線ＬＡＮエリアの無線端末と無線通信を行う無線ＬＡＮシステムと、前記無線ＬＡＮシステムと交換装置を介して結合される移動体通信システムとから構成される統合無線システムにおける通信プログラムであって、外部端末から前記無線端末への通信要求又は前記無線端末から外部端末への通信要求を受け付ける手順と、前記通信要求に通信経路の要求があるか判断する手順と、前記通信経路の要求に応じて当該移動体通信システム経由又は前記無線ＬＡＮシステム経由のいずれかの通信経路を選択して通信を行う手順と、をコンピュータに実行させることを特徴とする通信プログラム。
【請求項５４】
無線ＬＡＮエリアの無線端末と無線通信を行う無線ＬＡＮシステムと、前記無線ＬＡＮシステムと相互に情報交換を行う交換装置を介して結合される移動体通信システムとから構成される統合無線システムにおける通信プログラムであって、外部端末から前記無線端末への通信要求又は前記無線端末から外部端末への通信要求を受け付ける手順と、前記外部端末からの情報の伝送データ容量又は前記無線端末からの情報の伝送データ容量を判断する手順と、当該伝送データ容量に応じて当該移動体通信システム経由又は前記無線ＬＡＮシステム経由のいずれかの通信経路を選択して通信を行う手順と、をコンピュータに実行させることを特徴とする通信プログラム。
【請求項５５】
前記伝送データ容量が、予め定めた値より大きい場合に前記無線ＬＡＮシステム経由の通信経路を選択する一方、予め定めた値より小さい場合に前記移動体通信システム経由の通信経路を選択する手順をコンピュータに実行させることを特徴とする請求項５４記載の通信プログラム。
【請求項５６】
前記いずれかの通信経路を選択する際、前記移動体通信システム及び無線ＬＡＮシステムが管理するネットワークの輻輳状況を判断する手順をコンピュータに実行させることを特徴とする請求項５４又は請求項５５記載の通信プログラム。
【発明の詳細な説明】
【０００１】
【発明の属する技術分野】
本発明は、移動体通信システムと無線ＬＡＮシステムとを統合した統合無線通信システムに関する。
【０００２】
【従来の技術】
現在、実用化されている無線通信システムは、大きく２つのグループに大別することができる。１つはＧＳＭ（Ｇｌｏｂａｌ　Ｓｙｓｔｅｍ　Ｍｏｂｉｌｅ　Ｃｏｍｍｕｎｉｃａｔｉｏｎ）、ＰＤＣ（Ｐｅｒｓｏｎａｌ　Ｄｉｇｉｔａｌ　Ｃｅｌｌｕｌａｒ）に代表されるセルラー無線ネットワークシステム（以下、「セルラーシステム」という）であり、もう１つはＩＥＥＥ８０２．１１ａ／ｂ、ＨＹＰＥＲＬＡＮ２に代表される無線ローカルエリアネットワークシステム（以下、「無線ＬＡＮシステム」という）である。
【０００３】
セルラーシステムにおいては、無線端末に移動性があるため、それに関連して無線端末の位置情報の管理機能に優れ、またメッセージサービスや暗号化を行う場合に必要となる認証機能に優れている。さらに、広範囲に渡って利用することができ、音声通信システムとして有力なシステムである。
【０００４】
一方、無線ＬＡＮシステムにおいては、データ伝送容量がＩＥＥＥ８０２．１１ｂでは最大１１Ｍｂｐｓ、ＩＥＥＥ８０２．１１ａ、ＨｙｐｅｒＬＡＮ２では最大５４Ｍｂｐｓと大容量のデータ伝送が実現できる。
【０００５】
なお、上記のようなセルラーシステムと無線ＬＡＮシステムとの利点を結合させ、その欠点を回避するデータ転送システムが研究されている（例えば、特許文献１参照）。
【０００６】
【特許文献１】
特開平９−１３０４０５号公報（第７−８頁、図１）
【０００７】
【発明が解決しようとする課題】
しかしながら、セルラーシステムにおいては、多数のユーザが通信状態にあり、通信密度が高い場合は現状においても容量の問題が起こるほか、今後予想される大容量のデータ伝送に対しては十分なデータ伝送容量を提供できないという問題がある。
【０００８】
一方、無線ＬＡＮシステムにおいては、セルラーシステムのような無線端末の位置情報の管理機能が不十分であるという問題がある。
【０００９】
また、無線端末とのリンク確立時に行う認証には、ＥＳＳ−ＩＤ（Ｅｘｔｅｎｄｅｄ　Ｓｅｒｖｉｃｅ　Ｓｅｔ　Ｉｄｅｎｔｉｔｙ）などのアクセスポイントと無線端末との間の簡易的な認証、並びに、無線ＬＡＮのセキュリティ向上のための暗号化技術、例えば、ＩＥＥＥ８０２．１１でオプションとして標準化されたセキュリティ仕様のＷＥＰ（ｗｉｒｅｄ　ｅｑｕｉｖａｌｅｎｔ　ｐｒｉｖａｃｙ）が用いられている。
【００１０】
かかる簡易的認証やＷＥＰという暗号化技術では、傍受した無線信号から秘密鍵のデータやＭＡＣ（Ｍｅｄｉａ　Ａｃｃｅｓｓ　ｃｏｎｔｒｏｌ）アドレスを解読し盗めば簡単に鍵解読されてしまう。このため、盗聴やなりすまし等が可能となり、セキュリティの脆弱性が指摘されている。
【００１１】
本発明は、かかる実情に鑑みて為されたものであり、セルラーシステムにおける無線端末の認証機能並びに無線ＬＡＮシステムにおける大容量のデータ伝送機能を備えた無線通信を行うことができる統合無線通信システムを提供することを目的とする。
【００１２】
【課題を解決するための手段】
本発明は、無線ＬＡＮエリアの無線端末と無線通信を行う無線ＬＡＮシステムと、この無線ＬＡＮシステムと相互に情報交換を行う交換装置を介して結合される移動体通信システムとから構成される統合無線システムにおいて、外部端末から無線端末への通信要求又は無線端末から外部端末への通信要求を受け付け、この通信要求に応じて移動体通信システム経由又は無線ＬＡＮシステム経由のいずれかの通信経路を選択して通信を行うものである。
【００１３】
これにより、外部端末又は無線端末からの通信要求に応じて移動体通信システム経由又は無線ＬＡＮシステム経由のいずれかの通信経路を選択して無線通信が行われるので、移動体通信システムにおける無線端末の認証機能並びに無線ＬＡＮシステムにおける大容量のデータ伝送機能を備えた無線通信を行うことができる。
【００１４】
本発明の第１の態様に係る統合無線通信システムは、無線ＬＡＮエリアの無線端末と無線通信を行う無線ＬＡＮシステムと、前記無線ＬＡＮシステムと交換装置を介して結合される移動体通信システムとから構成される統合無線通信システムであって、前記移動体通信システムは、外部端末から前記無線端末への通信要求があると、当該移動体通信システム経由又は前記無線ＬＡＮシステム経由のいずれかの通信経路を選択する構成を採る。
【００１５】
この構成によれば、外部端末から無線端末へ情報伝送を行う際、移動体通信システムにより移動体通信システム経由又は無線ＬＡＮシステム経由のいずれかの通信経路が選択されて無線通信が行われる。これにより、双方のシステム経由の通信経路を用いた無線通信を行うことができるので、移動体通信システムにおける無線端末の位置情報の管理機能及び認証機能並びに無線ＬＡＮシステムにおける大容量のデータ伝送機能を備えた無線通信を行うことができる。
【００１６】
本発明の第２の態様は、第１の態様に係る統合無線通信システムにおいて、前記移動体通信システムは、前記無線ＬＡＮシステムと前記無線端末とのリンクが確立した場合に前記無線端末に割り当てられたＩＰアドレスを位置情報として登録する位置情報管理部を備え、前記無線ＬＡＮシステム経由の通信経路を選択した場合に前記位置情報管理部における前記無線端末のＩＰアドレスを前記外部端末に通知する構成を採る。
【００１７】
この構成によれば、無線ＬＡＮシステム経由の通信経路を選択した場合に位置情報管理部における無線端末のＩＰアドレスが外部端末に通知される。これにより、外部端末では、再度、このＩＰアドレスを用いて無線端末にアクセスすることで無線ＬＡＮシステム経由の通信経路を用いて無線通信を行うことができる。
【００１８】
本発明の第３の態様は、第１又は第２の態様に係る統合無線通信システムにおいて、前記移動体通信システムは、前記外部端末からの通信経路の要求に応じて前記いずれかの通信経路を選択する構成を採る。
【００１９】
この構成によれば、外部端末からの通信経路の要求に応じて移動体通信システム経由又は無線ＬＡＮシステム経由のいずれかの通信経路が選択される。これにより、外部端末で通信経路を選択して無線通信を行うことができる。
【００２０】
本発明の第４の態様は、第１又は第２の態様に係る統合無線通信システムにおいて、前記移動体通信システムは、前記外部端末から通信要求のあった情報の伝送データ容量に応じて前記いずれかの通信経路を選択する構成を採る。
【００２１】
この構成によれば、外部端末から通信要求のあった情報の伝送データ容量に応じて移動体通信システム経由又は無線ＬＡＮシステム経由のいずれかの通信経路が選択される。これにより、通信要求のあった情報のデータ容量に見合った適切な通信経路を選択して無線通信を行うことができる。
【００２２】
本発明の第５の態様は、第４の態様に係る統合無線通信システムにおいて、前記移動体通信システムは、前記外部端末から通信要求のあった情報の伝送データ容量が、予め定めた値より大きい場合に前記無線ＬＡＮシステム経由の通信経路を選択する一方、予め定めた値より小さい場合に前記移動体通信システム経由の通信経路を選択する構成を採る。
【００２３】
この構成によれば、外部端末から通信要求のあった情報の伝送データ容量が、予め定めた値より大きい場合に無線ＬＡＮシステム経由の通信経路が選択される一方、予め定めた値より小さい場合に移動体通信システム経由の通信経路が選択される。これにより、通信要求のあった情報のデータ容量に見合った適切な通信経路を選択して無線通信を行うことができる。
【００２４】
本発明の第６の態様は、第４又は第５の態様に係る統合無線通信システムにおいて、前記移動体通信システムは、前記移動体通信システム及び無線ＬＡＮシステムが管理するネットワークの輻輳状況を判断して前記いずれかの通信経路を選択する構成を採る。
【００２５】
この構成によれば、通信要求のあった情報の伝送データ容量だけでなく、移動体通信システム及び無線ＬＡＮシステムが管理するネットワークの輻輳状況を判断して通信経路が選択される。これにより、ネットワークの輻輳状況に対応した柔軟に通信経路を選択することができる。
【００２６】
本発明の第７の態様は、第２から第６のいずれかの態様に係る統合無線通信システムにおいて、前記移動体通信システムは、前記無線ＬＡＮシステム経由の通信経路を選択した場合において、前記位置情報管理部に前記無線端末のＩＰアドレスが登録されていない場合、当該移動体通信システムのページングチャネルを用いて前記無線端末を呼び出すと共に前記無線ＬＡＮシステムへのリンク確立を要求し、前記無線端末は、当該リンク確立要求に応じて前記無線ＬＡＮシステムとのリンクを確立した後当該無線ＬＡＮシステムから割り当てられたＩＰアドレスを前記移動体通信システムに通知し、前記移動体通信システムは、当該ＩＰアドレスを前記位置情報管理部に登録すると共に前記外部端末に通知する構成を採る。
【００２７】
この構成によれば、位置情報管理部に無線端末のＩＰアドレスが登録されていない場合には移動体通信システムのページングチャネルを用いて無線端末を呼び出すと共に無線ＬＡＮシステムへのリンク確立を要求する。これにより、無線端末は、このページングチャネルを用いて要求されたリンク確立に応じて無線ＬＡＮシステムにリンクの確立を要求することができる。
【００２８】
また、無線端末と無線ＬＡＮシステムとのリンクが確立した後には、位置情報管理部に無線端末のＩＰアドレスが登録されると共に外部端末に通知される。これにより、外部端末では、再度、このＩＰアドレスを用いて無線端末にアクセスすることで無線ＬＡＮシステム経由の通信経路を用いて無線通信を行うことができる。
【００２９】
本発明の第８の態様は、第２から第６のいずれかの態様に係る統合無線通信システムにおいて、前記移動体通信システムは、前記無線ＬＡＮシステム経由の通信経路を選択した場合において、前記位置情報管理部に前記無線端末のＩＰアドレスが登録されていない場合、当該移動体通信システムのページングチャネルを用いて前記無線端末を呼び出すと共に前記無線ＬＡＮシステムへのリンク確立を要求し、前記無線端末が当該リンク確立要求に応じて前記無線ＬＡＮシステムとのリンクを確立すると前記無線ＬＡＮシステムは、前記交換装置を介して当該無線ＬＡＮシステムから当該無線端末に割り当てられたＩＰアドレスを前記移動体通信システムに通知し、前記移動体通信システムは、当該ＩＰアドレスを前記位置情報管理部に登録すると共に前記外部端末に通知する構成を採る。
【００３０】
この構成によれば、位置情報管理部に無線端末のＩＰアドレスが登録されていない場合には移動体通信システムのページングチャネルを用いて無線端末を呼び出すと共に無線ＬＡＮシステムへのリンク確立を要求する。これにより、無線端末は、このページングチャネルを用いて要求されたリンク確立に応じて無線ＬＡＮシステムにリンクの確立を要求することができる。
【００３１】
また、無線端末と無線ＬＡＮシステムとのリンクが確立した後には、位置情報管理部に無線端末のＩＰアドレスが登録されると共に外部端末に通知される。これにより、外部端末では、再度、このＩＰアドレスを用いて無線端末にアクセスすることで無線ＬＡＮシステム経由の通信経路を用いて無線通信を行うことができる。
【００３２】
本発明の第９の態様は、第７又は第８の態様に係る統合無線通信システムにおいて、前記無線端末又は無線ＬＡＮシステムは、当該無線端末が無線ＬＡＮシステムとリンクを確立している間、前記ＩＰアドレスを一定間隔で前記移動体通信システムに通知し、前記移動体通信システムは、当該ＩＰアドレスの通知が途切れると前記位置情報管理部に登録された当該ＩＰアドレスを消去する構成を採る。
【００３３】
この構成によれば、無線端末又は無線ＬＡＮシステムからのＩＰアドレスの通知が途切れると、位置情報管理部に登録された当該ＩＰアドレスが消去される。このため、位置情報管理部に登録されたＩＰアドレスの有無に応じて無線端末と無線ＬＡＮシステムとのリンクの状態を判断することができる。
【００３４】
本発明の第１０の態様は、第７又は第８の態様に係る統合無線通信システムにおいて、前記無線端末又は無線ＬＡＮシステムは、当該無線端末が無線ＬＡＮシステムとリンクを確立した際に前記ＩＰアドレスを通知すると共にリンクを開放した際にその旨を前記移動体通信システムに通知し、前記移動体通信システムは、前記無線端末又は無線ＬＡＮシステムからリンクを開放した旨の通知を受けると前記位置情報管理部に登録された当該ＩＰアドレスを消去する構成を採る。
【００３５】
この構成によれば、無線端末又は無線ＬＡＮシステムからリンクを開放した旨の通知を受けると、位置情報管理部に登録された当該ＩＰアドレスが消去される。このため、位置情報管理部に登録されたＩＰアドレスの有無に応じて無線端末と無線ＬＡＮシステムとのリンクの状態を判断することができる。
【００３６】
本発明の第１１の態様は、第７から第１０のいずれかの態様に係る統合無線通信システムにおいて、前記移動体通信システムは、前記無線端末が前記無線ＬＡＮシステムとリンクを確立する際に当該無線端末の認証を行う認証管理部を備え、前記無線端末は、前記無線ＬＡＮシステムとリンクを確立する際に前記移動体通信システムに認証を要請し、前記移動体通信システムは、前記無線端末の認証を完了すると前記無線ＬＡＮシステムに前記交換装置を介して認証完了信号を通知し、前記無線ＬＡＮシステムは、前記認証完了信号に応じて前記無線端末にチャネルを割り当てる構成を採る。
【００３７】
この構成によれば、無線端末が無線ＬＡＮシステムとリンクを確立する際、その無線端末の認証が移動体通信システムで行われ、この認証結果に応じて無線ＬＡＮシステムが無線端末にチャネルを割り当てる。これにより、移動体通信システムの確立された認証技術を利用して無線ＬＡＮシステムにおける無線端末の認証を実現することができる。
【００３８】
本発明の第１２の態様は、第１の態様に係る統合無線通信システムにおいて、前記移動体通信システムは、前記無線端末から外部端末への通信要求があると、当該移動体通信システム経由又は前記無線ＬＡＮシステム経由のいずれかの通信経路を選択する構成を採る。
【００３９】
この構成によれば、無線端末から外部端末へ情報伝送を行う際、移動体通信システムにより移動体通信システム経由又は無線ＬＡＮシステム経由のいずれかの通信経路が選択されて無線通信が行われる。これにより、双方のシステム経由の通信経路を用いた無線通信を行うことができるので、移動体通信システムにおける無線端末の位置情報の管理機能及び認証機能並びに無線ＬＡＮシステムにおける大容量のデータ伝送機能を備えた無線通信を行うことができる。
【００４０】
本発明の第１３の態様は、第１の態様に係る統合無線通信システムにおいて、前記無線端末から外部端末へ通信要求する際、当該無線端末が当該移動体通信システム経由又は前記無線ＬＡＮシステム経由のいずれかの通信経路を選択する構成を採る。
【００４１】
この構成によれば、無線端末から外部端末へ情報伝送を行う際、無線端末により移動体通信システム経由又は無線ＬＡＮシステム経由のいずれかの通信経路が選択されて無線通信が行われる。これにより、双方のシステム経由の通信経路を用いた無線通信を行うことができるので、移動体通信システムにおける無線端末の位置情報の管理機能及び認証機能並びに無線ＬＡＮシステムにおける大容量のデータ伝送機能を備えた無線通信を行うことができる。
【００４２】
本発明の第１４の態様は、第１２又は第１３の態様に係る統合無線通信システムにおいて、前記移動体通信システムは、前記無線端末が前記無線ＬＡＮシステムとリンクを確立する際に当該無線端末の認証を行う認証管理部を備え、前記無線ＬＡＮシステム経由の通信経路が選択された場合において、前記無線端末と前記無線ＬＡＮシステムとのリンクが確立されていない場合、前記無線端末は、前記無線ＬＡＮシステムとリンクを確立する際に前記移動体通信システムに認証を要請し、前記移動体通信システムは、前記無線端末の認証を完了すると前記無線ＬＡＮシステムに前記交換装置を介して認証完了信号を通知し、前記無線ＬＡＮシステムは、前記認証完了信号に応じて前記無線端末にチャネルを割り当てる構成を採る。
【００４３】
この構成によれば、無線端末が無線ＬＡＮシステムとリンクを確立する際、その無線端末の認証が移動体通信システムで行われ、この認証結果に応じて無線ＬＡＮシステムが無線端末にチャネルを割り当てる。これにより、移動体通信システムの確立された認証技術を利用して無線ＬＡＮシステムにおける無線端末の認証を実現することができる。
【００４４】
本発明の第１５の態様は、第１２から第１４のいずれかの態様に係る統合無線通信システムにおいて、前記移動体通信システム又は無線端末は、前記無線端末からの通信経路の要求に応じて前記いずれかの通信経路を選択する構成を採る。
【００４５】
この構成によれば、無線端末からの通信経路の要求に応じて移動体通信システム経由又は無線ＬＡＮシステム経由のいずれかの通信経路が選択される。これにより、無線端末で通信経路を選択して無線通信を行うことができる。
【００４６】
本発明の第１６の態様は、第１２から第１４のいずれかの態様に係る統合無線通信システムにおいて、前記移動体通信システム又は無線端末は、前記無線端末から通信要求のあった情報の伝送データ容量に応じて前記いずれかの通信経路を選択する構成を採る。
【００４７】
この構成によれば、無線端末から通信要求のあった情報の伝送データ容量に応じて移動体通信システム経由又は無線ＬＡＮシステム経由のいずれかの通信経路が選択される。これにより、通信要求のあった情報のデータ容量に見合った適切な通信経路を選択して無線通信を行うことができる。
【００４８】
本発明の第１７の態様は、第１６の態様に係る統合無線通信システムにおいて、前記移動体通信システム又は無線端末は、前記無線端末から通信要求のあった情報の伝送データ容量が、予め定めた値より大きい場合に前記無線ＬＡＮシステム経由の通信経路を選択する一方、予め定めた値より小さい場合に前記移動体通信システム経由の通信経路を選択する構成を採る。
【００４９】
この構成によれば、無線端末から通信要求のあった情報の伝送データ容量が、予め定めた値より大きい場合に無線ＬＡＮシステム経由の通信経路が選択される一方、予め定めた値より小さい場合に移動体通信システム経由の通信経路が選択される。これにより、通信要求のあった情報のデータ容量に見合った適切な通信経路を選択して無線通信を行うことができる。
【００５０】
本発明の第１８の態様は、第１６又は第１７の態様に係る統合無線通信システムにおいて、前記移動体通信システム又は無線端末は、前記移動体通信システム及び無線ＬＡＮシステムが管理するネットワークの輻輳状況を判断して前記いずれかの通信経路を選択する構成を採る。
【００５１】
この構成によれば、通信要求のあった情報の伝送データ容量だけでなく、移動体通信システム及び無線ＬＡＮシステムが管理するネットワークの輻輳状況を判断して通信経路が選択される。これにより、ネットワークの輻輳状況に対応した柔軟に通信経路を選択することができる。
【００５２】
本発明の第１９の態様は、第１２から第１８のいずれかの態様に係る統合無線通信システムにおいて、前記無線端末は、前記無線ＬＡＮシステムとリンクを確立する際、現在位置で利用可能な無線ＬＡＮシステムの情報を前記移動体通信システムに要求し、前記移動体通信システムから応答された情報を用いて前記無線ＬＡＮシステムとのリンクを確立する構成を採る。
【００５３】
この構成によれば、移動体通信システムから提供された現在位置で利用可能な無線ＬＡＮシステムの情報を用いて無線端末が無線ＬＡＮシステムとのリンクを確立する。これにより、利用可能な無線ＬＡＮシステムが特定されるので、不特定の無線ＬＡＮシステムにリンクの確立を要求する場合に比べて格段に無線端末の利用性が向上する。
【００５４】
本発明の第２０の態様は、第１２から第１８のいずれかの態様に係る統合無線通信システムにおいて、前記移動体通信システムは、前記無線端末の現在位置で利用可能な無線ＬＡＮシステムの情報を常時又は一定間隔で当該無線端末に通知し、前記無線端末は、前記無線ＬＡＮシステムとリンクを確立する際、前記移動体通信システムから通知された情報を用いて前記無線ＬＡＮシステムとのリンクを確立する構成を採る。
【００５５】
この構成によれば、移動体通信システムから提供された現在位置で利用可能な無線ＬＡＮシステムの情報を用いて無線端末が無線ＬＡＮシステムとのリンクを確立する。これにより、利用可能な無線ＬＡＮシステムが特定されるので、不特定の無線ＬＡＮシステムにリンクの確立を要求する場合に比べて格段に無線端末の利用性が向上する。
【００５６】
本発明の第２１の態様は、第１９又は第２０の態様に係る統合無線通信システムにおいて、前記無線端末は、前記無線ＬＡＮシステムとのリンクを確立した後、当該無線ＬＡＮシステムから割り当てられたＩＰアドレスを前記移動体通信システムに通知する一方、前記移動体通信システムは、当該ＩＰアドレスを登録する構成を採る。
【００５７】
この構成によれば、無線端末と無線ＬＡＮシステムとのリンクが確立した後には、位置情報管理部に無線端末のＩＰアドレスが登録される。これにより、移動体通信システムで無線端末に割り当てられたＩＰアドレスを管理することができる。
【００５８】
本発明の第２２の態様は、第１９又は第２０の態様に係る統合無線通信システムにおいて、前記無線ＬＡＮシステムは、リンクを確立した前記無線端末に割り当てたＩＰアドレスを前記交換装置を介して前記移動体通信システムに通知し、前記移動体通信システムは、当該ＩＰアドレスを登録する構成を採る。
【００５９】
この構成によれば、無線端末と無線ＬＡＮシステムとのリンクが確立した後には、位置情報管理部に無線端末のＩＰアドレスが登録される。これにより、移動体通信システムで無線端末に割り当てられたＩＰアドレスを管理することができる。
【００６０】
本発明の第２３の態様は、第２１又は第２２の態様に係る統合無線通信システムにおいて、前記無線端末又は無線ＬＡＮシステムは、当該無線端末が無線ＬＡＮシステムとリンクを確立している間、前記ＩＰアドレスを一定間隔で前記移動体通信システムに通知し、前記移動体通信システムは、当該ＩＰアドレスの通知が途切れると前記位置情報管理部に登録された当該ＩＰアドレスを消去する構成を採る。
【００６１】
この構成によれば、無線端末又は無線ＬＡＮシステムからのＩＰアドレスの通知が途切れると、位置情報管理部に登録された当該ＩＰアドレスが消去される。このため、位置情報管理部に登録されたＩＰアドレスの有無に応じて無線端末と無線ＬＡＮシステムとのリンクの状態を判断することができる。
【００６２】
本発明の第２４の態様は、第２１又は第２２の態様に係る統合無線通信システムにおいて、前記無線端末又は無線ＬＡＮシステムは、当該無線端末が無線ＬＡＮシステムとリンクを確立した際に前記ＩＰアドレスを通知すると共にリンクを開放した際にその旨を前記移動体通信システムに通知し、前記移動体通信システムは、前記無線端末又は無線ＬＡＮシステムからリンクを開放した旨の通知を受けると前記位置情報管理部に登録された当該ＩＰアドレスを消去する構成を採る。
【００６３】
この構成によれば、無線端末又は無線ＬＡＮシステムからリンクを開放した旨の通知を受けると、位置情報管理部に登録された当該ＩＰアドレスが消去される。このため、位置情報管理部に登録されたＩＰアドレスの有無に応じて無線端末と無線ＬＡＮシステムとのリンクの状態を判断することができる。
【００６４】
本発明の第２５の態様は、第１から第２４のいずれかの態様に係る統合無線通信システムにおいて、前記移動体通信システムは、前記交換装置を介して得た前記無線端末のユーザにおける前記無線ＬＡＮシステムの契約状況を管理するユーザ情報管理部を備え、前記無線ＬＡＮシステム経由の通信経路が選択された場合に前記契約内容に応じて前記無線ＬＡＮシステムで提供される伝送帯域を差別化する構成を採る。
【００６５】
この構成によれば、無線端末のユーザの契約内容に応じて無線ＬＡＮシステムで提供される伝送帯域を変化させ、しいては本統合無線通信システムでユーザに提供するサービスの差別化を図ることができる。
【００６６】
本発明の第２６の態様は、第２５の態様に係る統合無線通信システムにおいて、前記無線端末のユーザが契約している無線ＬＡＮシステムとの接続では提供される伝送帯域を保証する一方、契約していない無線ＬＡＮシステムとの接続では当該無線ＬＡＮシステムの利用状況に応じて伝送帯域を提供する構成を採る。
【００６７】
この構成によれば、無線端末のユーザの契約内容に応じて無線ＬＡＮシステムで保証される伝送帯域を変化させ、しいては本統合無線通信システムでユーザに提供するサービスの差別化を図ることができる。
【００６８】
本発明の第２７の態様は、第１から第２４のいずれかの態様に係る統合無線通信システムにおいて、前記移動体通信システムは、前記交換装置を介して得た前記無線端末のユーザにおける前記無線ＬＡＮシステムの契約状況を管理するユーザ情報管理部を備え、前記無線ＬＡＮシステム経由の通信経路が選択された場合に前記無線端末のユーザが契約している無線ＬＡＮシステムとの接続では当該ユーザからの情報伝送を優先する構成を採る。
【００６９】
この構成によれば、無線端末のユーザの契約内容に応じて無線ＬＡＮシステムにおける情報伝送に優先度を持たせ、しいては本統合無線通信システムでユーザに提供するサービスの差別化を図ることができる。
【００７０】
本発明の第２８の態様は、第１から第２４のいずれかの態様に係る統合無線通信システムにおいて、前記移動体通信システムは、前記交換装置を介して得た前記無線端末のユーザにおける前記無線ＬＡＮシステムの契約状況及び前記無線端末のユーザに対する課金情報を管理するユーザ情報管理部を備え、前記無線端末のユーザが契約している無線ＬＡＮシステムとの接続では当該無線ＬＡＮシステムの契約料を前記課金情報として管理する一方、契約していない無線ＬＡＮシステムとの接続では前記無線端末から当該無線ＬＡＮシステムへの接続回数に応じた接続料を前記課金情報として管理する構成を採る。
【００７１】
この構成によれば、無線端末のユーザにおける契約内容に応じて当該ユーザへの課金情報が一括管理されるので、本統合無線通信システムで有料無線通信サービスを実現した場合に適切にユーザに対する課金処理を実現することができる。
【００７２】
特に、契約していない無線ＬＡＮシステムとの接続では無線端末から当該無線ＬＡＮシステムへの接続回数に応じた接続料が課金情報として管理される。このため、このような契約していない無線ＬＡＮシステムとの接続において、適切に従量制の課金処理を実現することができる。
【００７３】
本発明の第２９の態様は、第２８の態様に係る統合無線通信システムにおいて、前記移動体通信システムは、前記無線ＬＡＮシステムへの接続回数を、当該無線ＬＡＮシステムへの前記認証完了信号の通知を行う際又は無線ＬＡＮシステムからのＩＰアドレスの通知を受ける際に検出する構成を採る。
【００７４】
この構成によれば、無線ＬＡＮシステムへの前記認証完了信号の通知を行う際又は無線ＬＡＮシステムからのＩＰアドレスの通知を受ける際に無線ＬＡＮシステムへの接続回数が検出されるので、確実かつ適切に無線ＬＡＮシステムへの接続回数を検出することができる。
【００７５】
本発明の第３０の態様は、第２８の態様に係る統合無線通信システムにおいて、前記移動体通信システムは、前記無線ＬＡＮシステムへの前記認証完了信号の通知又は無線ＬＡＮシステムからのＩＰアドレスの通知を受ける際に前記交換装置で検出される前記無線ＬＡＮシステムへの接続回数に応じて前記課金情報を管理する構成を採る。
【００７６】
この構成によれば、無線ＬＡＮシステムへの認証完了信号の通知を行う際又は無線ＬＡＮシステムからのＩＰアドレスの通知を受ける際に交換装置で検出された無線ＬＡＮシステムへの接続回数に応じて課金情報が管理されるので、確実かつ適切に課金情報を管理することができる。
【００７７】
本発明の第３１の態様は、第１から第２４のいずれかの態様に係る統合無線通信システムにおいて、前記移動体通信システムは、前記交換装置を介して得た前記無線端末のユーザにおける前記無線ＬＡＮシステムの契約状況及び前記無線端末のユーザに対する課金情報を管理するユーザ情報管理部を備え、前記無線端末のユーザが契約している無線ＬＡＮシステムとの接続では当該無線ＬＡＮシステムの契約料を前記課金情報として管理する一方、契約していない無線ＬＡＮシステムとの接続では前記無線端末から当該無線ＬＡＮシステムへの接続時間に応じた接続料を前記課金情報として管理する構成を採る。
【００７８】
この構成によれば、無線端末のユーザにおける契約内容に応じて当該ユーザへの課金情報が一括管理されるので、本統合無線通信システムで有料無線通信サービスを実現した場合に適切にユーザに対する課金処理を実現することができる。
【００７９】
特に、契約していない無線ＬＡＮシステムとの接続では無線端末から当該無線ＬＡＮシステムへの接続時間に応じた接続料が課金情報として管理される。このため、このような契約していない無線ＬＡＮシステムとの接続において、適切に従量制の課金処理を実現することができる。
【００８０】
本発明の第３２の態様は、第３１の態様に係る統合無線通信システムにおいて、前記移動体通信システムは、前記無線ＬＡＮシステムへの接続時間を、前記無線ＬＡＮシステムからのＩＰアドレスの通知及び当該無線ＬＡＮシステムと前記無線端末とのリンク開放後の開放通知に基づいて検出する構成を採る。
【００８１】
この構成によれば、無線ＬＡＮシステムからのＩＰアドレスの通知及び当該無線ＬＡＮシステムと前記無線端末とのリンク開放後の開放通知に基づいて無線ＬＡＮシステムへの接続時間が検出されるので、確実かつ適切に無線ＬＡＮシステムへの接続時間を検出することができる。
【００８２】
本発明の第３３の態様は、第３１の態様に係る統合無線通信システムにおいて、前記移動体通信システムは、前記無線ＬＡＮシステムからのＩＰアドレスの通知及び当該無線ＬＡＮシステムと前記無線端末とのリンク開放後の開放通知に基づいて前記交換装置で検出される前記無線ＬＡＮシステムへの接続時間に応じて前記課金情報を管理する構成を採る。
【００８３】
この構成によれば、無線ＬＡＮシステムからのＩＰアドレスの通知及び当該無線ＬＡＮシステムと無線端末とのリンク開放後の開放通知に基づいて交換装置で検出される無線ＬＡＮシステムへの接続時間に応じて課金情報が管理されるので、確実かつ適切に課金情報を管理することができる。
【００８４】
本発明の第３４の態様に係る交換装置は、無線ＬＡＮシステムと移動体通信システムとを結合する交換装置であって、前記移動体通信システムと無線ＬＡＮシステムとの間でユーザ情報を交換するユーザ情報交換部と、前記無線端末の認証要請に応じて前記移動体通信システムから送出される認証完了信号を前記無線ＬＡＮシステムに通知する認証完了信号通知部と、前記無線端末が前記無線ＬＡＮシステムとのリンク確立後に取得したＩＰアドレスを前記無線ＬＡＮシステムから前記移動体通信システムに通知するＩＰアドレス通知部と、前記無線ＬＡＮシステムにおける輻輳状況を前記移動体通信システムに通知する輻輳状況通知部と、を具備する構成を採る。
【００８５】
この構成によれば、移動体通信システムと無線ＬＡＮシステムとの間でユーザ情報を交換できると共に、移動体通信システムからの認証完了信号及び無線ＬＡＮシステムからのＩＰアドレスを相手側システムに通知でき、さらに無線ＬＡＮシステムにおける輻輳状況を確実に移動体通信システムに通知することができる。
【００８６】
本発明の第３５の態様は、第３４の態様に係る交換装置において、前記ＩＰアドレス通知部は、前記無線ＬＡＮシステムから前記移動体通信システムへの前記ＩＰアドレスの通知回数に応じて前記無線端末の前記無線ＬＡＮシステムへの接続回数を検出する接続回数検出部を備える構成を採る。
【００８７】
この構成によれば、本交換装置において、無線ＬＡＮシステムから移動体通信システムへのＩＰアドレスの通知回数に応じて確実に無線端末の無線ＬＡＮシステムへの接続回数を検出することができる。
【００８８】
本発明の第３６の態様は、第３４又は第３５の態様に係る交換装置において、前記ＩＰアドレス通知部は、前記無線端末が前記無線ＬＡＮシステムとのリンクを開放した後に前記無線ＬＡＮシステムから送出される開放通知を前記移動体通信システムに通知すると共に、前記無線ＬＡＮシステムから前記移動体通信システムへの前記ＩＰアドレスの通知から前記開放通知までの時間に応じて前記無線端末の前記無線ＬＡＮシステムへの接続時間を検出する接続時間検出部を備える構成を採る。
【００８９】
この構成によれば、本交換装置において、無線ＬＡＮシステムから移動体通信システムへのＩＰアドレスの通知から開放通知までの時間に応じて無線端末の前記無線ＬＡＮシステムへの接続時間を確実に検出することができる。
【００９０】
本発明の第３７の態様は、第３４から第３６のいずれかの態様に係る交換装置において、前記認証完了信号通知部は、前記移動体通信システムから前記無線ＬＡＮシステムへの前記認証完了信号の通知回数に応じて前記無線端末の前記無線ＬＡＮシステムへの接続回数を検出する接続回数検出部を備える構成を採る。
【００９１】
この構成によれば、本交換装置において、移動体通信システムから無線ＬＡＮシステムへの認証完了信号の通知回数に応じて確実に無線端末の前記無線ＬＡＮシステムへの接続回数を検出することができる。
【００９２】
本発明の第３８の態様に係る無線端末は、無線ＬＡＮシステム及び移動体通信システムの双方に通信可能な無線端末であって、前記移動体通信システムのページングチャネルを用いた前記無線ＬＡＮシステムへのリンク確立要求に応じて当該無線ＬＡＮシステムとのリンクを要求するリンク確立要求部と、前記無線ＬＡＮシステムとのリンク確立の際に必要な認証を前記移動体通信システムに要求する信号を送信する認証要求信号送信部と、前記無線ＬＡＮシステムとのリンク確立後に取得したＩＰアドレスを前記移動体通信システムに通知するＩＰアドレス通知部と、を具備する構成を採る。
【００９３】
この構成によれば、移動体通信システムからの無線ＬＡＮシステムへのリンク確立要求に応じてリンクを要求する一方、移動体通信システムに認証要求することができ、また、リンク確立後に取得したＩＰアドレスを移動体通信システムに通知することができる。
【００９４】
本発明の第３９の態様は、第３８の態様に係る無線端末において、前記移動体通信システム及び無線ＬＡＮシステム経由で外部端末に情報を発信する場合に当該情報の伝送データ容量に応じて前記移動体通信システム経由又は前記無線ＬＡＮシステム経由のいずれかの通信経路を選択する通信経路選択部を具備する構成を採る。
【００９５】
この構成によれば、通信経路選択部により情報の伝送データ容量に応じて通信経路が選択されるため、情報のデータ容量に見合った適切な通信経路を選択して無線通信を行うことができる。
【００９６】
本発明の第４０の態様は、第３９の態様に係る無線端末において、前記通信経路選択部は、前記情報の伝送データ容量が、予め定めた値より大きい場合に前記無線ＬＡＮシステム経由の通信経路を選択する一方、予め定めた値より小さい場合に前記移動体通信システム経由の通信経路を選択する構成を採る。
【００９７】
この構成によれば、情報の伝送データ容量が、予め定めた値より大きい場合に無線ＬＡＮシステム経由の通信経路が選択される一方、予め定めた値より小さい場合に移動体通信システム経由の通信経路が選択される。これにより、情報のデータ容量に見合った適切な通信経路を選択して無線通信を行うことができる。
【００９８】
本発明の第４１の態様は、第３９又は第４０の態様に係る無線端末において、前記移動体通信システム及び無線ＬＡＮシステムの輻輳状況を受信する輻輳状況受信部を具備し、前記通信経路選択部は、前記輻輳状況を判断して前記セルラーシステム経由又は前記無線ＬＡＮシステム経由のいずれかの通信経路を選択する構成を採る。
【００９９】
この構成によれば、通信対象の情報の伝送データ容量だけでなく、移動体通信システム及び無線ＬＡＮシステムが管理するネットワークの輻輳状況を判断して通信経路が選択される。これにより、ネットワークの輻輳状況に対応した柔軟に通信経路を選択することができる。
【０１００】
本発明の第４２の態様は、第３８の態様に係る無線端末において、前記情報の伝送データ容量を付与して前記移動体通信システム経由又は前記無線ＬＡＮシステム経由のいずれかの通信経路の選択を前記移動体通信システムに要求する信号を送信する通信経路選択要求信号送信部と、前記通信経路選択要求信号に対して前記移動体通信システムから応答される通信経路選択応答信号を受信する通信経路選択応答信号受信部と、前記通信経路選択応答信号の結果に応じて前記セルラーシステム経由又は前記無線ＬＡＮシステム経由のいずれかの通信経路を選択する通信経路選択部を具備する構成を採る。
【０１０１】
この構成によれば、通信対象の伝送データ容量を付与して通信経路の選択を移動体通信システムに要求する一方、移動体通信システムからの応答に応じて通信経路が選択されるので、情報のデータ容量に見合った適切な通信経路を選択して無線通信を行うことができる。なお、通信経路の選択は、移動体通信システムで行われるため、本無線端末の通信経路の選択制御を簡素化することができる。
【０１０２】
本発明の第４３の態様に係る移動体通信システムは、無線ＬＡＮエリアの無線端末と無線通信を行う無線ＬＡＮシステムと情報交換を行う交換装置を介して結合された移動体通信システムであって、前記交換装置を介して得た前記無線ＬＡＮシステムにおける前記無線端末のＩＰアドレスを位置情報として管理する位置情報管理部と、外部端末から前記無線端末への通信要求があると、当該移動体通信システム経由又は前記無線ＬＡＮシステム経由のいずれかの通信経路を選択する通信経路選択部と、前記無線ＬＡＮシステム経由の通信経路を選択した場合に前記位置情報管理部における前記無線端末のＩＰアドレスを前記外部端末に通知するＩＰアドレス通知部と、を具備する構成を採る。
【０１０３】
この構成によれば、位置情報管理部で無線ＬＡＮシステムにおける無線端末のＩＰアドレスを管理する一方、外部端末から無線端末へ情報伝送を行う際、通信経路選択部で無線ＬＡＮシステム経由の通信経路を選択した場合に当該ＩＰアドレスを外部端末に通知する。外部端末では、再度、このＩＰアドレスを用いて無線端末にアクセスすることで無線ＬＡＮシステム経由の通信経路を用いて無線通信を行うことができる。この結果、双方のシステム経由の通信経路を用いた無線通信を行うことができるので、移動体通信システムにおける無線端末の位置情報の管理機能及び認証機能並びに無線ＬＡＮシステムにおける大容量のデータ伝送機能を備えた無線通信を行うことができる。
【０１０４】
本発明の第４４の態様は、第４３の態様に係る移動体通信システムにおいて、前記通信経路選択部は、前記無線端末から外部端末への通信要求があると、当該移動体通信システム経由又は前記無線ＬＡＮシステム経由のいずれかの通信経路を選択する構成を採る。
【０１０５】
この構成によれば、無線端末から外部端末へ情報伝送を行う際、通信経路選択部により移動体通信システム経由又は無線ＬＡＮシステム経由のいずれかの通信経路が選択されて無線通信が行われる。これにより、双方のシステム経由の通信経路を用いた無線通信を行うことができるので、移動体通信システムにおける無線端末の位置情報の管理機能及び認証機能並びに無線ＬＡＮシステムにおける大容量のデータ伝送機能を備えた無線通信を行うことができる。
【０１０６】
本発明の第４５の態様は、第４３又は第４４の態様に係る移動体通信システムにおいて、前記通信経路選択部は、前記外部端末からの通信経路の要求又は前記無線端末からの通信経路の要求に応じて前記いずれかの通信経路を選択する構成を採る。
【０１０７】
この構成によれば、外部端末又は無線端末からの要求に応じて移動体通信システム経由又は無線ＬＡＮシステム経由のいずれかの通信経路が選択される。これにより、外部端末又は無線端末で通信経路を選択して無線通信を行うことができる。
【０１０８】
本発明の第４６の態様は、第４３又は第４４の態様に係る移動体通信システムにおいて、前記通信経路選択部は、前記外部端末からの情報の伝送データ容量又は前記無線端末からの情報の伝送データ容量に応じて前記いずれかの通信経路を選択する構成を採る。
【０１０９】
この構成によれば、通信対象の情報の伝送データ容量に応じて移動体通信システム経由又は無線ＬＡＮシステム経由のいずれかの通信経路が選択される。これにより、通信対象の情報のデータ容量に見合った適切な通信経路を選択して無線通信を行うことができる。
【０１１０】
本発明の第４７の態様は、第４６の態様に係る移動体通信システムにおいて、前記通信経路選択部は、前記外部端末からの情報の伝送データ容量又は前記無線端末からの情報の伝送データ容量が、予め定めた値より大きい場合に前記無線ＬＡＮシステム経由の通信経路を選択する一方、予め定めた値より小さい場合に前記移動体通信システム経由の通信経路を選択する構成を採る。
【０１１１】
この構成によれば、通信対象の情報の伝送データ容量が、予め定めた値より大きい場合に無線ＬＡＮシステム経由の通信経路が選択される一方、予め定めた値より小さい場合に移動体通信システム経由の通信経路が選択される。これにより、通信対象の情報のデータ容量に見合った適切な通信経路を選択して無線通信を行うことができる。
【０１１２】
本発明の第４８の態様は、第４６又は第４７の態様に係る移動体通信システムにおいて、前記通信経路選択部は、前記移動体通信システム及び無線ＬＡＮシステムが管理するネットワークの輻輳状況を判断して前記いずれかの通信経路を選択する構成を採る。
【０１１３】
この構成によれば、通信対象の情報の伝送データ容量だけでなく、移動体通信システム及び無線ＬＡＮシステムが管理するネットワークの輻輳状況を判断して通信経路が選択される。これにより、ネットワークの輻輳状況に対応した柔軟に通信経路を選択することができる。
【０１１４】
本発明の第４９の態様に係る通信方法は、無線ＬＡＮエリアの無線端末と無線通信を行う無線ＬＡＮシステムと、前記無線ＬＡＮシステムと交換装置を介して結合される移動体通信システムとから構成される統合無線システムにおける通信方法であって、外部端末から前記無線端末への通信要求又は前記無線端末から外部端末への通信要求を受け付け、前記通信要求に通信経路の要求があるか判断し、前記通信経路の要求に応じて当該移動体通信システム経由又は前記無線ＬＡＮシステム経由のいずれかの通信経路を選択して通信を行うものである。
【０１１５】
本発明の第５０の態様に係る通信方法は、無線ＬＡＮエリアの無線端末と無線通信を行う無線ＬＡＮシステムと、前記無線ＬＡＮシステムと相互に情報交換を行う交換装置を介して結合される移動体通信システムとから構成される統合無線システムにおける通信方法であって、外部端末から前記無線端末への通信要求又は前記無線端末から外部端末への通信要求を受け付け、前記外部端末からの情報の伝送データ容量又は前記無線端末からの情報の伝送データ容量を判断し、当該伝送データ容量に応じて当該移動体通信システム経由又は前記無線ＬＡＮシステム経由のいずれかの通信経路を選択して通信を行うものである。
【０１１６】
本発明の第５１の態様は、第５０の態様に係る通信方法において、前記伝送データ容量が、予め定めた値より大きい場合に前記無線ＬＡＮシステム経由の通信経路を選択する一方、予め定めた値より小さい場合に前記移動体通信システム経由の通信経路を選択するものである。
【０１１７】
本発明の第５２の態様は、第５０又は第５１に係る通信方法において、前記いずれかの通信経路を選択する際、前記移動体通信システム及び無線ＬＡＮシステムが管理するネットワークの輻輳状況を判断するものである。
【０１１８】
本発明の第５３の態様に係る通信プログラムは、無線ＬＡＮエリアの無線端末と無線通信を行う無線ＬＡＮシステムと、前記無線ＬＡＮシステムと交換装置を介して結合される移動体通信システムとから構成される統合無線システムにおける通信プログラムであって、外部端末から前記無線端末への通信要求又は前記無線端末から外部端末への通信要求を受け付ける手順と、前記通信要求に通信経路の要求があるか判断する手順と、前記通信経路の要求に応じて当該移動体通信システム経由又は前記無線ＬＡＮシステム経由のいずれかの通信経路を選択して通信を行う手順と、をコンピュータに実行させることを特徴とする。
【０１１９】
本発明の第５４の態様に係る通信プログラムは、無線ＬＡＮエリアの無線端末と無線通信を行う無線ＬＡＮシステムと、前記無線ＬＡＮシステムと相互に情報交換を行う交換装置を介して結合される移動体通信システムとから構成される統合無線システムにおける通信プログラムであって、外部端末から前記無線端末への通信要求又は前記無線端末から外部端末への通信要求を受け付ける手順と、前記外部端末からの情報の伝送データ容量又は前記無線端末からの情報の伝送データ容量を判断する手順と、当該伝送データ容量に応じて当該移動体通信システム経由又は前記無線ＬＡＮシステム経由のいずれかの通信経路を選択して通信を行う手順と、をコンピュータに実行させることを特徴とする。
【０１２０】
本発明の第５５の態様は、第５４の態様に係る通信プログラムにおいて、前記伝送データ容量が、予め定めた値より大きい場合に前記無線ＬＡＮシステム経由の通信経路を選択する一方、予め定めた値より小さい場合に前記移動体通信システム経由の通信経路を選択する手順をコンピュータに実行させることを特徴とする。
【０１２１】
本発明の第５６の態様は、第５４又は第５５の態様に係る通信プログラムにおいて、前記いずれかの通信経路を選択する際、前記移動体通信システム及び無線ＬＡＮシステムが管理するネットワークの輻輳状況を判断する手順をコンピュータに実行させることを特徴とする。
【０１２２】
以下、本発明に係る実施の形態について図面を参照して具体的に説明する。
【０１２３】
（実施の形態１）
図１は、本発明の実施の形態１に係る統合無線通信システムが適用されるネットワークの構成を示すブロック図である。
【０１２４】
本統合無線通信システムは、移動体通信システム１００と、無線ローカルエリアネットワークシステム（以下、「無線ＬＡＮシステム」という）２００とが交換装置３００を介して接続される形態を採る。本実施の形態においては、移動体通信システム１００が交換装置３００を介して複数の無線ＬＡＮシステム２００に接続された場合について示すが、これに限定されず単一の無線ＬＡＮシステム２００が接続される場合に適用することもできる。図１では３つの無線ＬＡＮシステム２００Ａ〜２００Ｃが移動体通信システム１００にそれそれ交換装置３００Ａ〜３００Ｃを介して接続された場合について示している。
【０１２５】
なお、本実施の形態では、移動体通信システム１００として、セルラー無線ネットワークシステム（以下、「セルラーシステム」という）を例として説明するが、これに限定されず、他の移動体通信システムにも適用可能である。
【０１２６】
セルラーシステム１００は、複数の無線基地局装置１０１Ａ〜１０１Ｎ及びセルラーネットワーク交換装置１０２を備えている。各無線基地局装置１０１は、自己に割り当てられたセルラーエリア１０３内に位置する無線端末４００からのアクセスを監視する。
【０１２７】
セルラーネットワーク交換装置１０２は、無線端末４００がいずれの無線基地局装置１０１と無線通信を行っているかを把握し、インターネット５００や公衆回線６００と無線端末４００との間の呼やセッションを確立する。
【０１２８】
また、セルラーネットワーク交換装置１０２は、インターネット５００に接続された外部端末と無線端末４００との間で情報伝送を行う場合にその通信経路を、セルラーシステム１００経由の通信経路又は無線ＬＡＮシステム２００経由の通信経路から選択する機能を有する。図２は、セルラーネットワーク交換装置１０２の通信経路を選択する機能を実現する構成を示すブロック図である。
【０１２９】
セルラーネットワーク／無線ＬＡＮ選択部１０２１は、通信経路を選択する際、外部端末の通信経路の要求に応じて、セルラーシステム１００経由の通信経路又は無線ＬＡＮシステム２００経由の通信経路を選択する。
【０１３０】
セルラーネットワーク／無線ＬＡＮ選択部１０２１は、外部端末からのセッション確立要求信号に取り付けられたタグの記載内容に応じていずれかの通信経路を選択する。このタグに無線ＬＡＮシステム２００経由の通信経路の要求が記載されている場合には無線ＬＡＮシステム２００経由の通信経路を選択する一方、記載されていない場合にはセルラーシステム１００経由の通信経路を選択する。
【０１３１】
無線ＬＡＮリンク確立要求部１０２２は、無線ＬＡＮシステム２００経由の通信経路が選択された場合であって、無線端末４００が無線ＬＡＮシステム２００とのリンクを確立していない場合に無線端末４００に無線ＬＡＮシステム２００とのリンクの確立を要求する。
【０１３２】
また、セルラーシステム１００は、セルラーシステム１００と契約している無線端末４００に付与された電話番号（以下、「セルラーネットワーク番号」という）や無線ＬＡＮシステム２００における無線端末４００の位置情報（後述するＩＰアドレス）を管理する位置管理装置１０４を備えている。図３は、位置管理装置１０４の構成を示すブロック図である。
【０１３３】
同図に示すように、位置管理装置１０４は、セルラーシステム１００に契約しているユーザのセルラーネットワーク番号を管理するセルラーネットワーク番号管理部１０４１、セルラーエリア１０３における無線端末４００の位置情報を管理するセルラーネットワーク位置情報管理部１０４２及び無線端末４００が一つ又は複数の無線ＬＡＮシステム２００とリンクを確立している場合に無線ＬＡＮシステム２００における無線端末４００の位置情報を管理する無線ＬＡＮ位置情報管理部１０４３を備える。
【０１３４】
なお、無線ＬＡＮ位置情報管理部１０４３は、無線端末４００の位置情報として、無線ＬＡＮシステム２００において無線端末４００に割り当てられたＩＰアドレスを管理する。
【０１３５】
さらに、セルラーシステム１００は、無線端末４００のユーザにおける無線ＬＡＮシステム２００との契約状況に代表されるユーザ情報を管理するセルラーネットワーク管理装置１０５を備えている。図４は、セルラーネットワーク管理装置１０５で管理される情報の一例を示している。
【０１３６】
同図に示すように、セルラーネットワーク管理装置１０５は、セルラーシステム１００に契約しているユーザに付与されたユーザＩＤ、各ユーザの所有するセルラーネットワーク番号、並びに、各ユーザにおける無線ＬＡＮシステム２００の使用に関する契約情報が管理されている。
【０１３７】
契約情報には、例えば、無線端末４００のユーザがセルラーシステム１００にのみ接続可能な契約、セルラーシステム１００のみならずセルラーシステム１００と提携関係にある無線ＬＡＮシステム２００まで接続可能な契約又はユーザが個別に契約している無線ＬＡＮシステム２００に接続可能な契約などが登録される。
【０１３８】
さらに、セルラーシステム１００は、セルラーシステム１００における無線端末４００の認証処理に加えて、無線ＬＡＮシステム２００における無線端末４００の認証処理も行う認証管理装置１０６を備えている。
【０１３９】
無線ＬＡＮシステム２００における無線端末４００の認証を行う際、認証管理装置１０６は、無線端末４００からの認証要求に応じて当該無線端末４００の認証を行う。認証を完了すると当該無線端末４００のユーザＩＤを含む認証完了信号を交換装置３００を介して無線端末４００がリンクを確立しようとする無線ＬＡＮシステム２００に送信する。無線ＬＡＮシステム２００では、無線端末４００から送出されたリンク確立要求に含まれる無線端末４００のユーザＩＤと認証管理装置１０６から受信したユーザＩＤとを比較することで無線端末４００の最終的な認証を確認する。なお、認証管理装置１０６における認証方式は、上記の方式に限定されず、他の認証方式を用いてもよい。
【０１４０】
一方、無線ＬＡＮシステム２００Ａは、複数の無線ＬＡＮアクセス装置２０１Ａ〜２０１Ｎ、無線ＬＡＮ交換装置２０２及び無線ＬＡＮ管理装置２０３を備えている。なお、他の無線ＬＡＮシステム２００Ｂ及び２００Ｃは、無線ＬＡＮシステム２００Ａと同様の構成を有するため、その説明は省略する。
【０１４１】
各無線ＬＡＮアクセス装置２０１は、それぞれの無線ＬＡＮアクセス装置２０１に割り当てられた無線ＬＡＮエリア２０４内に位置する無線端末４００からのアクセスを監視する。
【０１４２】
無線ＬＡＮ交換装置２０２は、無線端末４００がいずれの無線ＬＡＮアクセス装置２０２と無線通信を行っているかを把握し、インターネット５００と無線端末４００との間のセッションを確立する。
【０１４３】
また、無線ＬＡＮ交換装置２０２は、無線端末４００が無線ＬＡＮシステム２００とリンクを確立する際に必要となる処理を行う。図５は、無線ＬＡＮ交換装置２０２の構成を示すブロック図である。
【０１４４】
同図において、無線ＬＡＮ交換部２０２１は、無線ＬＡＮ交換装置２０２全体の制御を行い、インターネット５００に接続された外部端末と無線端末４００との間で情報伝送を行う。
【０１４５】
ＩＰアドレス提供部２０２２は、無線端末４００からリンク確立の要求があった場合において、無線端末４００の最終的な認証が完了した場合に当該無線端末４００に対してＩＰアドレスを割り当てる。
【０１４６】
ＩＰアドレス送信部２０２３は、無線端末４００とのリンクを確立した後、無線端末４００の無線ＬＡＮシステム２００における位置情報としてＩＰアドレスを交換装置３００を介してセルラーシステム１００に通知する。
【０１４７】
認証完了信号受信部２０２４は、セルラーシステム１００の認証管理装置１０６から送信された認証完了信号を受信する。この認証完了信号は、無線ＬＡＮ交換部２０２１を介して無線ＬＡＮ管理装置２０３に渡される。
【０１４８】
無線ＬＡＮ管理装置２０３は、無線ＬＡＮシステム２００に契約しているユーザのユーザのユーザ情報や無線端末４００に割り当てたＩＰアドレスを管理する。また、セルラーシステム１００から通知された認証完了信号に含まれるユーザＩＤと無線端末４００からのリンク確立要求に含まれるユーザＩＤとの比較し、無線端末４００の最終的な認証を行う。
【０１４９】
交換装置３００Ａは、セルラーシステム１００と無線ＬＡＮシステム２００Ａとの間に配置され、セルラーシステム１００と無線ＬＡＮシステム２００Ａとの間の情報の交換又は通知を行う。なお、交換装置３００Ｂ又は３００Ｃは、交換装置３００Ａと同様の構成を有するため、その説明は省略する。図６は、本実施の形態の統合無線通信システムにおける交換装置３００の構成を示すブロック図である。
【０１５０】
同図において、ＩＰアドレス通知部３００１は、無線端末４００と無線ＬＡＮシステム２００とのリンクが確立した後、無線端末４００に割り当てられたＩＰアドレスを、無線ＬＡＮ交換装置２０２から受け取り、セルラーネットワーク交換装置１０２を介して位置管理装置１０４に通知する。
【０１５１】
認証完了信号通知部３００２は、無線端末４００の無線ＬＡＮシステム２００のリンク確立時における認証要請に応じて、セルラーシステム１００から送出される認証完了信号を、認証管理装置１０６から受け取り、無線ＬＡＮ交換装置２０２に通知する。
【０１５２】
ユーザ情報交換部３００３は、セルラーシステム１００と無線ＬＡＮシステム２００との間で契約情報などのユーザ情報を交換する。無線ＬＡＮシステム２００からのユーザ情報は、無線ＬＡＮ交換装置２０２からセルラーネットワーク管理装置１０５に渡される。一方、セルラーシステム１００からのユーザ情報は、セルラーネットワーク管理装置１０５から無線ＬＡＮ交換装置２０２に渡される。
【０１５３】
無線端末４００は、セルラーシステム１００及び無線ＬＡＮシステム２００の双方のシステムと無線通信を行う。図７は、無線端末４００の構成を示すブロック図である。
【０１５４】
同図において、セルラーネットワーク通信部４００１は、無線基地局装置１０２（図１では無線基地局装置１０２Ｎ）との間で無線リンクを確立し、セルラーシステム１００との間で通信を行う。
【０１５５】
無線ＬＡＮ通信部４００２は、無線ＬＡＮアクセス装置２０１（図１では無線ＬＡＮアクセス装置２０１Ａ）との間で無線リンクを確立し、無線ＬＡＮシステム２００との間で通信を行う。
【０１５６】
無線ＬＡＮリンク確立要求部４００３は、無線ＬＡＮシステム２００とリンクを確立する際、無線ＬＡＮ通信部４００２を介して希望する無線ＬＡＮシステム２００に対してリンク確立要求信号を送出する。
【０１５７】
認証要求信号送信部４００４は、無線ＬＡＮシステム２００とのリンク確立の際に必要となる認証をセルラーシステム１００に要求するための認証要求信号を、セルラーネットワーク通信部４００１を介してセルラーシステム１００に送信する。
【０１５８】
ＩＰアドレス通知部４００４は、無線ＬＡＮシステム２００とのリンクを確立した後に無線ＬＡＮシステム２００から割り当てられたＩＰアドレスを、セルラーネットワーク通信部４００１を介してセルラーシステム１００の位置管理装置１０４に通知する。
【０１５９】
次に、実施の形態１に係る統合無線通信システムにおいて、インターネット５００に接続された外部端末から無線端末４００に情報を伝送する場合の動作について説明する。
【０１６０】
図８は、実施の形態１に係る統合無線通信システムにおいて、インターネット５００に接続された外部端末から無線端末４００に情報を伝送する場合のフロー図である。
【０１６１】
インターネット５００に接続された外部端末から無線端末４００に情報を伝送する場合、まず、外部端末が無線端末４００宛てにセルラーネットワーク番号で発呼する。これに伴い、セルラーシステム１００のセルラーネットワーク交換装置１０２にセッション確立要求信号が送出される（ＳＴ８０１）。
【０１６２】
セッション確立要求信号を受け取ると、セルラーネットワーク交換装置１０２のセルラーネットワーク／無線ＬＡＮ選択部１０２１は、このセッション確立信号に取り付けられたタグの記載を判断する。具体的には、セッション確立要求信号のタグに無線ＬＡＮシステム２００経由の通信経路を要求する旨の記載があるか判断する（ＳＴ８０２）。
【０１６３】
無線ＬＡＮシステム２００経由の通信経路を要求する旨の記載がない場合には、セルラーネットワーク／無線ＬＡＮ選択部１０２１は、セルラーシステム１００経由の通信経路を選択する。
【０１６４】
この場合、セルラーネットワーク交換装置１０２は、位置管理装置１０４のセルラーネットワーク位置情報管理部１０４２に登録された位置情報に基づいて無線端末４００の位置を確認し、無線基地局装置１０１を介してページング処理を行う。そして、リンクを確立した後、外部端末からの情報を無線端末４００に伝送する（ＳＴ８０３）。
【０１６５】
一方、無線ＬＡＮシステム２００経由の通信経路を要求する旨の記載があった場合には、無線端末４００がいずれかの無線ＬＡＮシステム２００とリンクを確立しているか判断する。無線端末４００が無線ＬＡＮシステム２００とリンクを確立している場合には、後述するように位置管理装置１０４の無線ＬＡＮ位置情報管理部１０４３にＩＰアドレスが登録される。このため、セルラーネットワーク／無線ＬＡＮ選択部１０２１は、位置管理装置１０４の無線ＬＡＮ位置情報管理部１０４３に無線端末４００のＩＰアドレスが登録されているか判断する（ＳＴ８０４）。
【０１６６】
ＩＰアドレスが既に登録されている場合には、セルラーネットワーク交換装置１０２は、無線端末４００に割り当てられたＩＰアドレスを外部端末に通知する（ＳＴ８０５）。ＩＰアドレスの通知を受けた外部端末は、再度、このＩＰアドレス宛てに発呼し、無線ＬＡＮシステム２００経由で無線端末４００とリンクを確立した後、情報を伝送する。
【０１６７】
なお、ここでは、ＩＰアドレスの通知をセルラーネットワーク交換装置１０２から外部端末に直接行う手続きを示しているが、ＩＰアドレスの通知はＩＳＰ（Ｉｎｔｅｒｎｅｔ　Ｓｅｒｖｉｃｅ　Ｐｒｏｖｉｄｅｒ）の呼制御装置を介してリンク確立を行うことが一般的である。この場合、セルラーネットワーク交換装置１０２はＩＰアドレスの通知をＩＳＰの呼制御装置に対して行う。
【０１６８】
一方、ＩＰアドレスが登録されていない場合において、無線ＬＡＮシステム２００経由の通信経路を選択する場合には、無線ＬＡＮシステム２００とリンクを確立し、無線ＬＡＮシステム２００から無線端末４００にＩＰアドレスが割り当てられることが必要になる。
【０１６９】
ここで、無線端末４００と無線ＬＡＮシステム２００とのリンクの確立は、無線端末４００のユーザの契約内容に応じて行われることになる。すなわち、ユーザの契約内容は、セルラーシステム１００にのみ接続可能である場合と、セルラーシステム１００のみならずセルラーシステム１００と提携関係にある無線ＬＡＮシステム２００にも接続可能な場合とがある。前者の場合には、無線ＬＡＮシステム２００に接続することができないため、無線ＬＡＮシステム２００経由の通信経路が選択できないこととなる。
【０１７０】
したがって、ＩＰアドレスが登録されていない場合には、セルラーネットワーク／無線ＬＡＮ選択部１０２１は、セルラーネットワーク管理装置１０５で管理されている無線端末４００のユーザの契約内容を確認する。具体的には、無線ＬＡＮシステム２００に接続可能な契約内容か否かを確認する（ＳＴ８０６）。
【０１７１】
無線ＬＡＮシステム２００に接続できない契約内容であった場合には、セルラーネットワーク／無線ＬＡＮ選択部１０２１は、無線ＬＡＮシステム２００経由の通信経路を断念し、処理をＳＴ８０３に移行してセルラーシステム１００経由の通信経路を選択して情報伝送を行う。
【０１７２】
一方、無線ＬＡＮシステム２００へ接続可能な契約内容であった場合には、セルラーネットワーク／無線ＬＡＮ選択部１０２１は、位置管理装置１０４のセルラーネットワーク位置情報管理部１０４２に登録された位置情報に基づいて無線端末４００の位置を確認する。
【０１７３】
無線ＬＡＮリンク確立要求部１０２２は、無線基地局装置１０１を介してページングチャネルを使って無線端末４００を呼び出すと共に、無線端末４００の現在位置で利用可能な無線ＬＡＮシステム２００の情報を通知し、当該無線ＬＡＮシステム２００とのリンク確立を要求する（ＳＴ８０７）。この無線端末４００の現在位置で利用可能な無線ＬＡＮシステム２００の情報は、セルラーネットワーク／無線ＬＡＮ選択部１０２１により無線端末４００の現在位置情報に基づいてセルラーネットワーク管理装置１０５から選出される。
【０１７４】
なお、セルラーシステム１００から無線端末４００に提供される無線ＬＡＮシステム２００の利用情報は、セルラーシステム１００と無線ＬＡＮシステム２００との提携を前提とし、交換装置３００を介してお互いの利用情報を共有することにより実現される。このため、セルラーシステム１００の運営業者は、どれだけの無線ＬＡＮシステム２００の運営業者と提携関係にあるかで、無線ＬＡＮシステム２００のサービス提供エリアが変わり、他のセルラーシステムの運営業者との差別化を図ることができる。
【０１７５】
このリンク確立要求を受けると、無線端末４００の無線ＬＡＮリンク確立要求部４００３が、通知された無線ＬＡＮシステム２００の利用情報を用いて当該無線ＬＡＮシステム２００にリンク確立を要求する一方、認証要求信号送信部４００４がセルラーシステム１００に認証要求信号を送信する（ＳＴ８０８）。なお、無線ＬＡＮシステム２００へのリンク確立要求には、無線端末４００のユーザＩＤが含まれている。
【０１７６】
リンク確立の要求を受けた無線ＬＡＮシステム２００は、リンク確立にあたり、無線端末４００の認証を行う必要がある。上述のように、本統合無線通信システムにおいては、この認証をセルラーシステム１００において一括して行う。
【０１７７】
すなわち、一般にセルラーシステム１００では、認証管理装置１０６により無線端末４００の移動に伴い、暗号鍵と認証キーを用いた認証が行う認証管理システムが整っている。本統合無線通信システムでは、この認証管理システムを利用して無線ＬＡＮシステム２００における無線端末４００の認証を行う。
【０１７８】
無線端末４００から認証要求信号を受けると、セルラーシステム１００の認証管理装置１０６が無線端末４００の認証処理を行う。無線端末４００のユーザの契約内容に基づいて無線ＬＡＮシステム２００への接続が許可されていることを確認すると認証を完了する。
【０１７９】
認証を完了した場合には、認証管理装置１０６は、無線端末４００のユーザのユーザＩＤを含む認証完了信号を交換装置３００を介して無線ＬＡＮシステム２００に送出する（ＳＴ８０９）。なお、認証完了信号は、交換装置３００の認証完了信号通知部３００２経由で認証完了信号受信部２０２４に通知され、認証完了信号受信部２０２４から無線ＬＡＮ管理装置２０３に渡される。
【０１８０】
認証完了信号を受け取ると、無線ＬＡＮ管理装置２０３は、リンク確立要求に含まれていたユーザＩＤとこの認証完了信号に含まれるユーザＩＤとを比較し、最終的な無線端末４００の認証を確認する。
【０１８１】
無線端末４００の最終的な認証まで確認されると、無線ＬＡＮ交換装置２０２のＩＰアドレス提供部２０２２は、無線端末４００にＩＰアドレスを割り当てる（ＳＴ８１０）。これにより、無線端末４００と無線ＬＡＮシステム２００とのリンクが確立される。このＩＰアドレスは、無線ＬＡＮアクセス装置２０１を介して無線端末４００に通知される。
【０１８２】
無線端末４００とのリンクを確立すると、無線ＬＡＮシステム２００は、無線端末４００に割り当てたＩＰアドレスをセルラーシステム１００の位置管理装置１０４に通知する（ＳＴ８１１）。無線ＬＡＮシステム２００からのＩＰアドレスの通知は、交換装置３００のＩＰアドレス通知部３００１経由でセルラーシステム１００に通知される。なお、無線端末４００に割り当てたＩＰアドレスの通知は、無線端末４００が直接、セルラーシステム１００の位置管理装置１０４に通知する方式としてもよい。
【０１８３】
ＩＰアドレスが通知されると、位置管理装置１０４の無線ＬＡＮ位置情報管理部１０４３は、このＩＰアドレスを無線端末４００のセルラーネットワーク番号に対応させて登録する。
【０１８４】
ここで、ＩＰアドレスは、無線端末４００が無線ＬＡＮシステム２００とリンクを確立している間、無線ＬＡＮシステム２００（無線端末４００）から一定間隔でセルラーシステム１００に通知される。無線ＬＡＮ位置情報管理部１０４３は、ＩＰアドレスが通知される毎にそのＩＰアドレスの更新を行う。そして、ＩＰアドレスが一定間隔で通知されなくなった場合、無線ＬＡＮ位置情報管理部１０４３は、そのＩＰアドレスを消去する。このため、無線端末４００が無線ＬＡＮシステム２００とのリンクを開放すると、そのＩＰアドレスが消去されることとなる。
【０１８５】
このように無線端末４００のＩＰアドレスを管理することで、位置管理装置１０４では常に無線端末４００と無線ＬＡＮシステム２００とのリンク状況及び最新のＩＰアドレスを管理することができる。
【０１８６】
なお、無線端末４００が無線ＬＡＮシステム２００とリンク確立した後にＩＰアドレスを通知する一方、無線端末４００が無線ＬＡＮシステム２００とのリンクを開放した後にその旨を通知するようにし、開放の旨の通知を受けた時点でＩＰアドレスの登録を消去するようにしてもよい。
【０１８７】
このようにリンク確立時とリンク開放時のみに通知を行うようにした場合には、リンクを確立している間、一定間隔ごとにＩＰアドレスを通知する場合に比べて、信号の通知回数を低減することができる。これにより、ＩＰアドレスの通知信号などの制御信号伝送に伴う伝送路の使用割合を低減できる。
【０１８８】
ＩＰアドレスが登録されると、セルラーネットワーク交換装置１０２は、無線端末４００に対応して登録されたＩＰアドレスを外部端末に通知する（ＳＴ８１２）。ＩＰアドレスの通知を受けた外部端末は、このＩＰアドレスを用いて無線ＬＡＮシステム２００経由で無線端末４００とリンクを確立した後、情報を伝送する。
【０１８９】
このように実施の形態１の統合無線通信システムによれば、外部端末から無線端末４００に対して情報伝送を行う際、外部端末からの通信経路の要求に応じてセルラーシステム１００経由の通信経路又は無線ＬＡＮシステム２００経由の通信経路を選択する。これにより、双方のシステム経由の通信経路を用いた無線通信を行うことができる。
【０１９０】
なお、無線ＬＡＮシステム２００経由の通信経路で無線通信を行う際、無線端末４００の認証は、セルラーシステム１００の認証システムを利用して行う。これにより、セルラーシステム１００における認証処理と同様の精度の高い認証処理を無線ＬＡＮシステム２００で実現することができる。この結果、セルラーシステム１００における無線端末４００の認証機能並びに無線ＬＡＮシステム２００における大容量のデータ伝送機能を備えた無線通信を行うことができる。
【０１９１】
特に、実施の形態１の統合無線通信システムでは、無線ＬＡＮシステム２００とリンクを確立した無線端末４００のＩＰアドレスをセルラーシステム１００で管理している。そして、無線ＬＡＮシステム２００経由の通信経路を選択した場合には、無線端末４００のＩＰアドレスを外部端末に通知する。これにより、外部端末では、再度、このＩＰアドレスを用いて無線端末にアクセスすることで無線ＬＡＮシステム２００経由の通信経路を用いて無線通信を行うことができる。
【０１９２】
（実施の形態２）
実施の形態１に係る統合無線通信システムが外部端末から無線端末４００に対して情報伝送を行う際、外部端末からの通信経路の要求に応じてセルラーシステム１００経由の通信経路又は無線ＬＡＮシステム２００経由の通信経路を選択するのに対し、実施の形態２に係る統合無線通信システムは、外部端末から通信要求のあった情報のデータ容量に応じて通信経路を選択する点で相違する。
【０１９３】
外部端末から通信要求のあったデータ容量に応じて通信経路を選択するため、実施の形態２に係る統合無線通信システムにおいては、セルラーシステム１００のセルラーネットワーク交換装置１０２において、セルラーネットワーク／無線ＬＡＮ選択部１０２１が外部端末から通信要求のあった情報のデータ容量を判断し、通信経路を選択する機能を有する。なお、その他の構成については、実施の形態１と同様のため、その説明は省略する。
【０１９４】
具体的には、セルラーネットワーク／無線ＬＡＮ選択部１０２１は、外部端末からのセッション確立要求信号に取り付けられたタグに記載されたデータ容量に応じて通信経路を選択する。その際、予め設定した値（以下、「所定値」という）よりもデータ容量が大きい場合には、無線ＬＡＮシステム２００経由の通信経路を選択する一方、所定値よりもデータ容量が小さい場合には、セルラーシステム１００経由の通信経路を選択する。
【０１９５】
次に、実施の形態２に係る統合無線通信システムにおいて、インターネット５００に接続された外部端末から無線端末４００に情報を伝送する場合の動作について説明する。
【０１９６】
図９は、実施の形態２に係る統合無線通信システムにおいて、インターネット５００に接続された外部端末から無線端末４００に情報を伝送する場合のフロー図である。なお、図９において、図８に示す処理と同一の処理には同一の符号を付して、その説明を省略する。
【０１９７】
実施の形態２に係る統合無線通信システムにおける処理は、外部端末から送出されたセッション確立要求信号のタグに記載されたデータ容量を判断して、セルラーシステム１００経由の通信経路又は無線ＬＡＮシステム２００経由の通信経路を選択する処理のみにおいて実施の形態１に係る統合無線通信システムと相違する。
【０１９８】
具体的には、ＳＴ８０１で外部端末からのセッション確立要求信号を受信すると、セルラーネットワーク交換装置１０２のセルラーネットワーク／無線ＬＡＮ選択部１０２１が、このセッション確立信号に取り付けられたタグに記載されたデータ容量が所定値より大きいか判断する点でのみ相違する（ＳＴ９０１）。
【０１９９】
そして、タグに記載されたデータ容量が所定値よりも大きい場合には処理をＳＴ８０４に移行し、無線ＬＡＮシステム２００経由の通信経路を選択して情報伝送を行う一方、所定値よりも小さい場合には処理をＳＴ８０３に移行し、セルラーシステム１００経由の通信経路を選択して情報伝送を行う。
【０２００】
このように実施の形態２の統合無線通信システムによれば、実施の形態１の統合無線通信システムと異なり、外部端末から無線端末４００に対して情報伝送を行う際、通信要求のあった情報のデータ容量に応じてセルラーシステム１００経由の通信経路又は無線ＬＡＮシステム２００経由の通信経路を選択する。したがって、実施の形態１に係る統合無線通信システムにおいて得られる、セルラーシステム１００における無線端末４００の認証機能並びに無線ＬＡＮシステム２００における大容量のデータ伝送機能を備えた無線通信の実現という効果に加えて、外部端末から通信要求のあった情報のデータ容量に応じて適切な通信経路を選択し、その情報を伝送することができる。
【０２０１】
なお、以上の説明では、通信経路を選択する際、外部端末から通信要求のあったデータ容量に応じて選択を行う場合について説明しているが、これに限定されない。例えば、外部端末から要求された伝送レートに応じて通信経路の選択を行うようにしてもよい。この場合にも実施の形態２に係る統合無線通信システムと同様の効果を得ることができる。
【０２０２】
（実施の形態３）
実施の形態２に係る統合無線通信システムが外部端末から通信要求のあった情報のデータ容量に応じてセルラーシステム１００経由の通信経路又は無線ＬＡＮシステム２００経由の通信経路を選択するのに対し、実施の形態３に係る統合無線通信システムは、通信要求のあったデータ容量に加えて無線ＬＡＮの輻輳状況を判断して通信経路を選択する点で相違する。
【０２０３】
外部端末から通信要求のあったデータ容量に加えて無線ＬＡＮの輻輳状況を判断して通信経路を選択するため、実施の形態３に係る統合無線通信システムにおいては、セルラーシステム１００のセルラーネットワーク交換装置１０２、無線ＬＡＮシステム２００の無線ＬＡＮ交換装置２０２及び交換装置３００に新たな構成を有する。
【０２０４】
図１０は、実施の形態３に係るセルラーネットワーク交換装置１０２の構成を示し、図１１は、実施の形態３に係る無線ＬＡＮ交換装置２０２の構成を示し、図１２は、実施の形態３に係る交換装置３００の構成を示すブロック図である。なお、図１０、図１１及び図１２において、それぞれ図２、図５及び図６と同一の構成については同一の符号を付与し、その説明を省略する。
【０２０５】
図１０に示すように、実施の形態３に係るセルラーネットワーク交換装置１０２は、無線ＬＡＮ輻輳状況受信部１０２３を有する点及びセルラーネットワーク／無線ＬＡＮ選択部１０２１がデータ容量に応じて通信経路を選択する際に無線ＬＡＮの輻輳状況を判断する点で実施の形態２に係るセルラーネットワーク交換装置１０２と相違する。
【０２０６】
また、図１１に示すように、実施の形態３に係る無線ＬＡＮ交換装置２０２は、無線ＬＡＮ輻輳状況送信部２０２５を有する点及び無線ＬＡＮ交換部２０２１が無線ＬＡＮの輻輳状況を監視する点で実施の形態２に係る無線ＬＡＮ交換装置２０２と相違する。
【０２０７】
さらに、図１２に示すように、実施の形態３に係る交換装置３００は、無線ＬＡＮ輻輳状況通知部３００４を有する点で実施の形態２に係る交換装置３００と相違する。
【０２０８】
すなわち、実施の形態３に係る統合無線通信システムにおいては、無線ＬＡＮ交換部２０２１で検出された無線ＬＡＮの輻輳状況が無線ＬＡＮ輻輳状況送信部２０２５から、交換装置３００の無線ＬＡＮ輻輳状況通知部３００４を介して無線ＬＡＮ輻輳状況受信部１０２３に通知される。そして、通信経路の選択を行う際、セルラーネットワーク／無線ＬＡＮ選択部１０２１でその輻輳状況が考慮される点で実施の形態２に係る統合無線通信システムと相違する。その他の構成については、実施の形態２と同様のため、その説明を省略する。
【０２０９】
次に、実施の形態３に係る統合無線通信システムにおいて、インターネット５００に接続された外部端末から無線端末４００に情報を伝送する場合の動作について説明する。
【０２１０】
図１３は、実施の形態３に係る統合無線通信システムにおいて、インターネット５００に接続された外部端末から無線端末４００に情報を伝送する場合のフロー図である。なお、図１３において、図９に示す処理と同一の処理には同一の符号を付与して、その説明を省略する。
【０２１１】
実施の形態３に係る統合無線通信システムにおける処理は、通信経路を選択する際、外部端末から送出されたセッション確立要求信号のタグに記載されたデータ容量を判断した後、無線ＬＡＮの輻輳状況を判断する点において実施の形態２に係る統合無線通信システムと相違する。
【０２１２】
具体的には、ＳＴ９０１でセルラーネットワーク交換装置１０２のセルラーネットワーク／無線ＬＡＮ選択部１０２１が、外部端末からのセッション確立信号に取り付けられたタグに記載されたデータ容量が所定値より大きいと判断した場合に無線ＬＡＮの輻輳状況が一定レベル以下であるか判断する点でのみ相違する（ＳＴ１３０１）。
【０２１３】
そして、無線ＬＡＮの輻輳状況が一定レベル以下である場合には処理をＳＴ８０４に移行し、無線ＬＡＮシステム２００経由の通信経路を選択して情報伝送を行う一方、一定レベル以上である場合には処理をＳＴ８０３に移行し、セルラーシステム１００経由の通信経路を選択して情報伝送を行う。
【０２１４】
このように実施の形態３の統合無線通信システムによれば、実施の形態２に係る統合無線通信システムと異なり、外部端末から無線端末４００に対して情報伝送を行う際、通信要求のあった情報のデータ容量に応じてセルラーシステム１００経由の通信経路又は無線ＬＡＮシステム２００経由の通信経路を選択すると共に、無線ＬＡＮの輻輳状況も考慮して通信経路を選択する。したがって、実施の形態１又は２に係る統合無線通信システムにおいて得られる、セルラーシステム１００における無線端末４００の認証機能並びに無線ＬＡＮシステム２００における大容量のデータ伝送機能を備えた無線通信の実現といった効果に加えて、ネットワークの輻輳状況に対応して柔軟に通信経路を選択することができる。この結果、無線ＬＡＮの輻輳状況に起因してデータが無線端末４００に送信されないという事態を確実に回避することができる。
【０２１５】
なお、以上の説明では、無線ＬＡＮシステム２００の輻輳状況のみを判断して通信経路を選択する場合について説明しているが、これに限定されない。無線ＬＡＮの輻輳状況のみならず、セルラーネットワークの輻輳状況も判断して通信経路を選択するようにしてもよい。この場合には、データ容量が小さい場合でも無線ＬＡＮシステム２００経由の通信経路を選択することができるので、より効率的な外部端末からの情報の伝送を実現することができる。
【０２１６】
（実施の形態４）
実施の形態１〜３に係る統合無線通信システムが外部端末から無線端末４００への情報のみを対象にするのに対し、実施の形態４に係る統合無線通信システムは、実施の形態１〜３の統合無線通信システムの機能に加え、無線端末４００から外部端末への情報を伝送する場合にもセルラーシステム１００経由の通信経路又は無線ＬＡＮシステム１００経由の通信経路を選択することができる点で相違する。なお、実施の形態４に係る統合無線通信システムにおいては、無線端末４００が通信経路を選択する機能を有する。
【０２１７】
無線端末４００からの情報を伝送する場合に無線端末４００で通信経路を選択するため、実施の形態４に係る統合無線通信システムにおいては、無線端末４００に通信経路を選択する新たな構成を有する。
【０２１８】
図１４は、実施の形態４に係る無線端末４００の構成を示すブロック図である。図１４において、図７と同一の構成については同一の符号を付し、その説明を省略する。
【０２１９】
図１４に示すように、実施の形態４に係る無線端末４００は、通信経路選択部４００６を有する点で実施の形態１〜３に係る無線端末４００と相違する。
【０２２０】
通信経路選択部４００６は、無線端末４００のユーザによる通信経路の要求に応じて通信経路を選択する。なお、通信経路選択部４００６は、無線端末４００の入力手段等を介して要求された通信経路の要求に応じて通信経路を選択する。
【０２２１】
次に、実施の形態４に係る統合無線通信システムにおいて、無線端末４００からインターネット５００に接続された外部端末に情報を伝送する場合の動作について説明する。
【０２２２】
図１５は、実施の形態４に係る統合無線通信システムにおいて、無線端末４００からインターネット５００に接続された外部端末に情報を伝送する場合のフロー図である。
【０２２３】
無線端末４００からインターネット５００に接続された外部端末に情報を伝送する場合、まず、無線端末４００において、ユーザから通信要求を受け付ける（ＳＴ１５０１）。
【０２２４】
通信経路選択部４００６は、この通信要求において通信経路がユーザから要求されているか判断する。具体的には、ユーザから要求された通信経路が無線ＬＡＮシステム２００経由の通信経路であるか否かを判断する（ＳＴ１５０２）。
【０２２５】
無線ＬＡＮシステム２００経由の通信経路が要求されていない場合には、通信経路選択部４００６は、セルラーシステム１００経由の通信経路を選択する。無線端末４００は、セルラーシステム１００経由の通信経路を介して外部端末に発呼し、外部端末とリンクを確立した後、セルラーネットワーク通信部４００１でユーザから指示された情報を外部端末に伝送する（ＳＴ１５０３）。
【０２２６】
無線ＬＡＮシステム２００経由の通信経路が要求されている場合には、通信経路選択部４００６は、無線端末４００がいずれかの無線ＬＡＮシステム２００とリンクを確立しているか判断する（ＳＴ１５０４）。
【０２２７】
既にいずれかの無線ＬＡＮシステム２００とリンクを確立している場合には、無線端末４００は、無線ＬＡＮシステム２００経由の通信経路を介して外部端末のアドレスに発呼し、外部端末とリンクを確立した後、無線ＬＡＮ通信部４００２でユーザから指示された情報を外部端末に伝送する（ＳＴ１５０５）。
【０２２８】
一方、いずれかの無線ＬＡＮシステム２００ともリンクを確立していない場合には、通信経路選択部４００６は、セルラーネットワーク通信部４００１を介して、無線端末４００の現在位置で利用可能な無線ＬＡＮシステム２００の情報を要求する（ＳＴ１５０６）。
【０２２９】
この要求を受けると、セルラーネットワーク交換装置１０２は、セルラーネットワーク管理装置１０５で管理された無線端末４００のユーザの契約内容を確認する。具体的には、無線ＬＡＮシステム２００に接続可能な契約内容か否かを確認する（ＳＴ１５０７）。
【０２３０】
無線ＬＡＮシステム２００に接続できない契約内容であった場合には、その旨を示す信号を無線端末４００に送信する（ＳＴ１５０８）。この信号を受けると、無線端末４００の通信経路選択部４００６は、セルラーシステム１００経由の通信経路を選択する。無線端末４００は、セルラーシステム１００経由の通信経路を介して外部端末に発呼し、外部端末とリンクを確立した後、セルラーネットワーク通信部４００１でユーザから指示された情報を外部端末に伝送する（ＳＴ１５０９）。
【０２３１】
一方、無線ＬＡＮシステム２００に接続可能な契約内容であった場合には、位置管理装置１０４で管理された無線端末４００の位置情報を確認し、その位置情報で無線端末４００が利用可能な無線ＬＡＮシステム２００の情報を無線端末４００に通知する。
【０２３２】
この無線ＬＡＮシステム２００の情報を受けると、無線端末４００の無線ＬＡＮリンク確立要求部４００３は、指定された無線ＬＡＮシステム２００にリンク確立を要求する。一方、認証要求信号送信部４００４がセルラーシステム１００に認証要求信号を送信する（ＳＴ１５１０）。なお、無線ＬＡＮシステム２００へのリンク確立要求には、無線端末４００のユーザＩＤが含まれている。
【０２３３】
認証要求信号を受けると、セルラーシステム１００の認証管理装置１０６が無線端末４００の認証処理を行う。認証処理を完了した場合には、認証管理装置１０６は、無線端末４００のユーザＩＤを含む認証完了信号を交換装置３００を介して無線ＬＡＮシステム２００に送出する（ＳＴ１５１１）。
【０２３４】
認証完了信号を受け取ると、無線ＬＡＮ管理装置２０３は、リンク確立要求に含まれていたユーザＩＤとこの認証完了信号に含まれるユーザＩＤとを比較し、最終的な無線端末４００の認証を確認する。
【０２３５】
無線端末４００の最終的な認証まで確認されると、無線ＬＡＮ交換装置２０２のＩＰアドレス提供部２０２２は、無線端末４００のＩＰアドレスを割り当てる（ＳＴ１５１２）。これにより、無線端末４００と無線ＬＡＮシステム２００とのリンクが確立される。このＩＰアドレスは、無線ＬＡＮアクセス装置２０１を介して無線端末４００に通知される。
【０２３６】
ＩＰアドレスの通知を受けた無線端末４００又は無線ＬＡＮシステム２００は、無線端末４００に割り当てたＩＰアドレスをセルラーシステム１００の位置管理装置１０４に通知する（ＳＴ１５１３）。通知されたＩＰアドレスは、位置管理装置１０４の無線ＬＡＮ位置情報管理部１０４３において、無線端末４００のセルラーネットワーク番号に対応させて登録される。
【０２３７】
無線ＬＡＮシステム２００とリンクを確立した後、無線端末４００は、無線ＬＡＮシステム２００経由の通信経路を介して外部端末のアドレスに発呼し、外部端末とリンクを確立した後、無線ＬＡＮ通信部４００２でユーザから指示された情報を外部端末に伝送する（ＳＴ１５１４）。
【０２３８】
このように実施の形態４の統合無線通信システムによれば、無線端末４００から外部端末に対して情報伝送を行う際、無線端末４００のユーザからの通信経路の要求に応じてセルラーシステム１００経由の通信経路又は無線ＬＡＮシステム２００経由の通信経路を選択する。これにより、双方のシステム経由の通信経路を用いた無線通信を行うことができる。
【０２３９】
なお、無線ＬＡＮシステム２００経由の通信経路で無線通信を行う際、無線端末４００の認証は、セルラーシステム１００の認証システムを利用して行う。これにより、セルラーシステム１００における認証処理と同様の精度の高い認証処理を無線ＬＡＮシステム２００で実現することができる。この結果、セルラーシステム１００における無線端末４００の認証機能並びに無線ＬＡＮシステム２００における大容量のデータ伝送機能を備えた無線通信を行うことができる。
【０２４０】
なお、以上の説明では、無線端末４００から現在位置で利用可能な無線ＬＡＮシステム２００の情報の要求があった場合に無線ＬＡＮシステム２００の情報を無線端末４００に提供する場合について示している。しかし、これに限定されず、セルラーシステム１００から常時、無線端末４００が利用可能な無線ＬＡＮシステム２００の情報を提供しておき、無線ＬＡＮシステム２００へのリンク確立の際にはこの情報を用いるようにしてもよい。この場合には、無線端末４００から利用可能な無線ＬＡＮシステム２００の情報を要求する工程を省略することができる。
【０２４１】
（実施の形態５）
実施の形態４に係る統合無線通信システムが無線端末４００から外部端末に対して情報伝送を行う際、無線端末４００における通信経路の要求に応じてセルラーシステム１００経由の通信経路又は無線ＬＡＮシステム２００経由の通信経路を選択するのに対し、実施の形態５に係る統合無線通信システムは、無線端末４００から通信要求のあった情報のデータ容量に応じて通信経路を選択する点で相違する。その他の構成については、実施の形態４と同様のため、その説明を省略する。
【０２４２】
無線端末４００から通信要求のあったデータ容量に応じて通信経路を選択するため、実施の形態５に係る統合無線通信システムにおいては、無線端末４００の通信経路選択部４００６が無線端末４００から通信要求のあった情報のデータ容量を判断し、通信経路を選択する機能を有する。
【０２４３】
具体的には、通信経路選択部４００６は、無線端末４００に伝送指示されたデータ容量に応じて通信経路を選択する。その際、予め設定した値（以下、「所定値」という）よりもデータ容量が大きい場合には、無線ＬＡＮシステム２００経由の通信経路を選択する一方、所定値よりもデータ容量が小さい場合には、セルラーシステム１００経由の通信経路を選択する。
【０２４４】
次に、実施の形態５に係る統合無線通信システムにおいて、無線端末４００からインターネット５００に接続された外部端末に情報を伝送する場合の動作について説明する。
【０２４５】
図１６は、実施の形態５に係る統合無線通信システムにおいて、無線端末４００からインターネット５００に接続された外部端末に情報を伝送する場合のフロー図である。なお、図１６において、図１５に示す処理と同一の処理には同一の符号を付して、その説明を省略する。
【０２４６】
実施の形態５に係る統合無線通信システムにおける処理は、無線端末４００に伝送指示されたデータ容量を判断して、セルラーシステム１００経由の通信経路又は無線ＬＡＮシステム２００経由の通信経路を選択する処理のみにおいて実施の形態４に係る統合無線通信システムと相違する。
【０２４７】
具体的には、ＳＴ１５０１で無線端末４００からの通信要求を受け付けると、通信経路選択部４００６が、この通信要求のあった情報のデータ容量が所定値より大きいか判断する点でのみ相違する（ＳＴ１６０１）。
【０２４８】
そして、情報のデータ容量が所定値よりも大きい場合には処理をＳＴ１５０４に移行し、無線ＬＡＮシステム２００経由の通信経路を選択して情報伝送を行う一方、所定値よりも小さい場合には処理をＳＴ１５０３に移行し、セルラーシステム１００経由の通信経路を選択して情報伝送を行う。
【０２４９】
このように実施の形態５の統合無線通信システムによれば、実施の形態４の統合無線通信システムと異なり、無線端末４００から外部端末に対して情報伝送を行う際、通信要求のあった情報のデータ容量に応じてセルラーシステム１００経由の通信経路又は無線ＬＡＮシステム２００経由の通信経路を選択する。したがって、実施の形態４に係る統合無線通信システムにおいて得られる、セルラーシステム１００における無線端末４００の認証機能並びに無線ＬＡＮシステム２００における大容量のデータ伝送機能を備えた無線通信の実現といった効果に加えて、無線端末４００から通信要求のあった情報のデータ容量に応じて適切な通信経路を選択し、その情報を伝送することができる。
【０２５０】
なお、以上の説明では、通信経路を選択する際、無線端末４００から通信要求のあったデータ容量に応じて選択を行う場合について説明しているが、これに限定されない。例えば、無線端末４００から要求された伝送レートに応じて通信経路の選択を行うようにしてもよい。この場合にも実施の形態５に係る統合無線通信システムと同様の効果を得ることができる。
【０２５１】
（実施の形態６）
実施の形態５に係る統合無線通信システムが無線端末４００から通信要求のあった情報のデータ容量に応じてセルラーシステム１００経由の通信経路又は無線ＬＡＮシステム２００経由の通信経路を選択するのに対し、実施の形態６に係る統合無線通信システムは、通信要求のあったデータ容量に加えて無線ＬＡＮの輻輳状況を判断して通信経路を選択する点で相違する。
【０２５２】
無線端末４００から通信要求のあったデータ容量に加えて無線ＬＡＮの輻輳状況を判断して通信経路を選択するため、実施の形態６に係る統合無線通信システムにおいては、無線端末４００に新たな構成を有する。
【０２５３】
図１７は、実施の形態６に係る無線端末４００の構成を示すブロック図である。なお、図１７において、図１４と同一の構成については同一の符号を付し、その説明を省略する。
【０２５４】
図１７に示すように、実施の形態６に係る無線端末４００は、輻輳状況受信部４００７を有する点及び通信経路選択部４００６がデータ容量に応じて通信経路を選択する際に無線ＬＡＮの輻輳状況を判断する点で実施の形態５に係る無線端末４００と相違する。
【０２５５】
なお、輻輳状況受信部４００７は、セルラーシステム１００のセルラーネットワーク交換装置１０２から、セルラーシステム１００に接続された無線ＬＡＮの輻輳状況を受信するものである。したがって、実施の形態６の統合無線通信システムではセルラーネットワーク交換装置１０２は、セルラーシステム１００に接続された無線ＬＡＮの輻輳状況を把握する構成、例えば、実施の形態３に係る無線ＬＡＮ輻輳状況受信部１０２３のような構成が必要となる。ここでは、セルラーネットワーク交換装置１０２が無線ＬＡＮ輻輳状況受信部１０２３を有するものとする。すなわち、実施の形態６に係るセルラーネットワーク交換装置１０２は、図１０に示す構成を有するものとする。
【０２５６】
次に、実施の形態６に係る統合無線通信システムにおいて、無線端末４００からインターネット５００に接続された外部端末に情報を伝送する場合の動作について説明する。
【０２５７】
図１８は、実施の形態６に係る統合無線通信システムにおいて、無線端末４００からインターネット５００に接続された外部端末に情報を伝送する場合のフロー図である。なお、図１８において、図１６に示す処理と同一の処理には同一の符号を付して、その説明を省略する。
【０２５８】
実施の形態６に係る統合無線通信システムにおける処理は、通信経路を選択する際、セルラーシステムから通知された、利用可能な無線ＬＡＮシステム２００の輻輳状況を判断する点において実施の形態５に係る統合無線通信システムと相違する。
【０２５９】
具体的には、ＳＴ１５０７で無線ＬＡＮシステム２００に接続可能な契約内容か否かを確認し、無線ＬＡＮシステム２００に接続可能な契約内容であった場合において、無線端末４００が利用可能な無線ＬＡＮシステム２００の情報が無線端末４００に通知されると共に、その無線ＬＡＮシステム２００の輻輳状況が通知される。無線端末４００では、セルラーシステム２００から通知された無線ＬＡＮシステム２００の輻輳状況を輻輳状況受信部４００７で受信する。通信経路選択部４００６は、輻輳状況が一定レベル以下であるか判断する点でのみ相違する（ＳＴ１８０１）。
【０２６０】
そして、無線ＬＡＮシステム２００の輻輳状況が一定レベル以下である場合には処理をＳＴ１５１０に移行し、無線ＬＡＮシステム２００経由の通信経路を選択して情報伝送を行う一方、一定レベル以上である場合には処理をＳＴ１５０９に移行し、セルラーシステム１００経由の通信経路を選択して情報伝送を行う。
【０２６１】
このように実施の形態６の統合無線通信システムによれば、実施の形態５に係る統合無線通信システムと異なり、無線端末４００から外部端末に対して情報伝送を行う際、通信要求のあった情報のデータ容量に応じてセルラーシステム１００経由の通信経路又は無線ＬＡＮシステム２００経由の通信経路を選択すると共に、無線ＬＡＮシステム２００の輻輳状況も考慮して通信経路を選択する。したがって、実施の形態４又は５に係る統合無線通信システムにおいて得られる、セルラーシステム１００における無線端末４００の認証機能並びに無線ＬＡＮシステム２００における大容量のデータ伝送機能を備えた無線通信の実現といった効果に加えて、ネットワークの輻輳状況に対応して柔軟に通信経路を選択することができる。この結果、無線ＬＡＮの輻輳状況に起因してデータが外部端末に送信されないという事態を確実に回避することができる。
【０２６２】
なお、以上の説明では、無線ＬＡＮの輻輳状況のみを判断して通信経路を選択する場合について説明しているが、これに限定されない。無線ＬＡＮの輻輳状況のみならず、セルラーネットワークの輻輳状況も判断して通信経路を選択するようにしてもよい。この場合には、データ容量が小さい場合でも無線ＬＡＮシステム２００経由の通信経路を選択することができるので、より効率的な無線端末４００からの情報の伝送を実現することができる。
【０２６３】
（実施の形態７）
実施の形態６に係る統合無線通信システムにおいては、無線端末４００から外部端末に対して情報伝送を行う際、セルラーシステム１００経由の通信経路又は無線ＬＡＮシステム２００経由の通信経路を無線端末４００が選択するのに対し、実施の形態７に係る統合無線通信システムにおいては、通信経路をセルラーシステム１００が実質的に選択する点で相違する。
【０２６４】
無線端末４００から外部端末に対して情報伝送を行う際、セルラーシステム１００で通信経路を選択するため、実施の形態７に係る統合無線通信システムにおいては、無線端末４００及びセルラーシステム１００のセルラーネットワーク交換装置１０２に新たな構成を有する。
【０２６５】
図１９は、実施の形態７に係る無線端末４００の構成を示し、図２０は、実施の形態７に係るセルラーネットワーク交換装置１０２の構成を示すブロック図である。なお、図１９及び図２０において、それぞれ図１７及び図１０と同一の構成については同一の符号を付与し、その説明を省略する。
【０２６６】
図１９に示すように、実施の形態７に係る無線端末４００は、輻輳状況受信部４００７の代わりに通信経路選択信号送受信部４００８を有する点及びセルラーシステム１００から送信された通信経路選択応答信号の結果に応じて通信経路選択部４００６が通信経路を選択する点で実施の形態６に係る無線端末４００と相違する。
【０２６７】
通信経路選択信号送受信部４００８は、セルラーシステム１００に対して通信対象となる情報のデータ容量を付与して通信経路の選択を要求する通信経路選択要求信号を送信する。一方、通信経路の選択結果を示す通信経路選択応答信号をセルラーシステム１００から受信する。
【０２６８】
図２０に示すように、実施の形態７に係るセルラーネットワーク交換装置１０２は、通信経路選択応答信号送信部１０２４を有する点で実施の形態６に係る無線端末４００と相違する。
【０２６９】
通信経路選択応答信号送信部１０２４は、無線端末４００からの通信経路の選択要求に応じて、通信経路の選択結果を示す通信経路選択応答信号を送信する。
【０２７０】
次に、実施の形態７に係る統合無線通信システムにおいて、無線端末４００からインターネット５００に接続された外部端末に情報を伝送する場合の動作について説明する。
【０２７１】
図２１は、実施の形態７に係る統合無線通信システムにおいて、無線端末４００からインターネット５００に接続された外部端末に情報を伝送する場合のフロー図である。
【０２７２】
無線端末４００からインターネット５００に接続された外部端末に情報を伝送する場合、まず、無線端末４００において、ユーザから通信要求を受け付ける（ＳＴ２１０１）。
【０２７３】
通信要求を受け付けると、無線端末４００において、通信経路選択信号送受信部４００８が通信要求のあった情報のデータ容量を付与して通信経路選択要求信号を、セルラーネットワーク通信部４００１を介してセルラーネットワーク交換装置１０２に送信する（ＳＴ２１０２）。
【０２７４】
この通信経路選択要求信号を受信すると、セルラーネットワーク交換装置１０２では、セルラーネットワーク／無線ＬＡＮ選択部１０２１が通知を受けたデータ容量を判断する。具体的には、通知されたデータ容量が所定値よりも大きいか判断する（ＳＴ２１０３）。
【０２７５】
データ容量が所定値よりも大きい場合には、セルラーネットワーク／無線ＬＡＮ選択部１０２１は、セルラーネットワーク管理装置１０５で管理されている無線端末４００のユーザの契約内容を確認する。具体的には、無線ＬＡＮシステム２００に接続可能な契約内容か否かを確認する（ＳＴ２１０４）。
【０２７６】
無線ＬＡＮシステム２００へ接続可能な契約内容であった場合には、セルラーネットワーク／無線ＬＡＮ選択部１０２１は、位置管理装置１０４のセルラーネットワーク位置情報管理部１０４２に登録された位置情報に基づいて無線端末４００の位置を確認する。そして、無線端末４００の現在位置で無線端末４００が利用可能な無線ＬＡＮシステム２００を確認する（ＳＴ２１０５）。
【０２７７】
次に、セルラーネットワーク／無線ＬＡＮ選択部１０２１は、無線端末４００の現在位置で利用可能な無線ＬＡＮシステム２００の輻輳状況が一定レベル以下であるか判断する（ＳＴ２１０６）。
【０２７８】
無線ＬＡＮシステム２００の輻輳状況が一定レベル以下の場合には、セルラーネットワーク／無線ＬＡＮ選択部１０２１において、通信経路選択応答信号送信部１０２４から無線ＬＡＮシステム２００経由の通信経路を選択すべき旨を通知する通信経路選択応答信号が無線端末４００に送信される（ＳＴ２１０７）。
【０２７９】
一方、ＳＴ２１０３で無線端末４００から通知されたデータ容量が所定値よりも小さい場合、ＳＴ２１０４で契約内容が無線ＬＡＮシステム２００接続できない契約であった場合、ＳＴ２１０６で無線端末４００が利用可能な無線ＬＡＮシステム２００の輻輳状況が一定レベル以上の場合には、通信経路選択応答信号送信部１０２４からセルラーシステム１００経由の通信経路を選択すべき旨を通知する通信経路選択応答信号が無線端末４００に送信される（ＳＴ２１０８）。
【０２８０】
このとき、通信経路選択応答信号と共に、セルラーネットワーク交換装置１０２から無線端末４００の現在位置で利用可能な無線ＬＡＮシステム２００の情報も通知される。
【０２８１】
無線端末４００では、この通信経路選択応答信号を通信経路選択信号送受信部４００８で受信する。通信経路選択応答信号によりセルラーシステム１００経由の通信経路が通知されると、通信経路選択部４００６は、セルラーシステム１００経由の通信経路を選択する。そして、無線端末４００は、セルラーシステム１００経由の通信経路を介して外部端末に発呼し、外部端末とリンクを確立した後、セルラーネットワーク通信部４００１でユーザから指示された情報を外部端末に伝送する（ＳＴ２１０９）。
【０２８２】
一方、通信経路選択応答信号により無線ＬＡＮシステム２００経由の通信経路が通知されると、通信経路選択部４００６は、無線ＬＡＮシステム２００経由の通信経路を選択する。
【０２８３】
無線ＬＡＮシステム２００経由の通信経路が選択されると、無線端末４００の無線ＬＡＮリンク確立要求部４００３は、指定された無線ＬＡＮシステム２００にリンク確立を要求する。一方、認証要求信号送信部４００４がセルラーシステム１００に認証要求信号を送信する（ＳＴ２１１０）。なお、無線ＬＡＮシステム２００へのリンク確立要求には、無線端末４００のユーザＩＤが含まれている。
【０２８４】
認証要求信号を受けると、セルラーシステム１００の認証管理装置１０６が無線端末４００の認証処理を行う。認証処理を完了した場合には、認証管理装置１０６は、無線端末４００のユーザＩＤを含む認証完了信号を交換装置３００を介して無線ＬＡＮシステム２００に送出する（ＳＴ２１１１）。
【０２８５】
認証完了信号を受け取ると、無線ＬＡＮ管理装置２０３は、リンク確立要求に含まれていたユーザＩＤとこの認証完了信号に含まれるユーザＩＤとを比較し、最終的な無線端末４００の認証を確認する。
【０２８６】
無線端末４００の最終的な認証まで確認されると、無線ＬＡＮ交換装置２０２のＩＰアドレス提供部２０２２は、無線端末４００のＩＰアドレスを割り当てる（ＳＴ２１１２）。これにより、無線端末４００と無線ＬＡＮシステム２００とのリンクが確立される。このＩＰアドレスは、無線ＬＡＮアクセス装置２０１を介して無線端末４００に通知される。
【０２８７】
ＩＰアドレスの通知を受けた無線端末４００又は無線ＬＡＮシステム２００は、無線端末４００に割り当てたＩＰアドレスをセルラーシステム１００の位置管理装置１０４に通知する（ＳＴ２１１３）。通知されたＩＰアドレスは、位置管理装置１０４の無線ＬＡＮ位置情報管理部１０４３において、無線端末４００のセルラーネットワーク番号に対応させて登録される。なお、無線ＬＡＮシステム２００からのＩＰアドレスの通知は、交換装置３００のＩＰアドレス通知部２００１経由でセルラーシステム１００に通知される。
【０２８８】
無線ＬＡＮシステム２００とリンクを確立した後、無線端末４００は、無線ＬＡＮシステム２００経由の通信経路を介して外部端末のアドレスに発呼し、外部端末とリンクを確立した後、無線ＬＡＮ通信部４００２でユーザから指示された情報を外部端末に伝送する（ＳＴ２１１４）。
【０２８９】
このように実施の形態７の統合無線通信システムによれば、実施の形態６に係る統合無線通信システムと異なり、無線端末４００から外部端末に対して情報伝送を行う際、セルラーシステム１００において通信経路を選択し、その通信経路を介して無線端末４００からの情報伝送が行われる。したがって、実施の形態４〜６に係る統合無線通信システムにおいて得られる、セルラーシステム１００における無線端末４００の認証機能並びに無線ＬＡＮシステム２００における大容量のデータ伝送機能を備えた無線通信の実現といった効果に加えて、無線端末４００における通信経路の選択制御を簡素化することができる。
【０２９０】
ところで、以上のように説明した統合無線通信システムを用いて無線通信サービスを提供する場合、本統合無線通信システムでサービス利用者への課金情報を管理することが考えられる。以下、本統合無線通信システムを用いてサービス利用者への課金情報を管理する場合について説明する。
【０２９１】
本統合無線通信システムで課金情報を管理する場合、セルラーシステム１００と無線ＬＡＮシステム２００との間で交換装置３００を介して課金情報の交換を行う。サービス利用者に対する課金情報は、セルラーシステム１００において一括管理する。セルラーシステム１００において、課金情報は、無線端末４００のユーザ情報と共にセルラーネットワーク管理装置１０５で管理される。
【０２９２】
本統合無線通信システムにおける課金処理としては、ユーザが契約状態にある無線ＬＡＮシステム２００と、契約状態にない無線ＬＡＮシステム２００とで無線ＬＡＮシステム２００の運営業者に提供する料金を変える必要がある。
【０２９３】
ユーザが契約状態にある無線ＬＡＮシステム２００の運営業者に対しては、その契約料としてユーザから徴集した接続料金の全額（あるいは接続料金の一部）を提供することが考えられる。この場合には、セルラーネットワーク管理装置１０５に管理されているユーザの契約状況を確認することで無線ＬＡＮシステム２００の運営業者への提供金額を算出することができる。
【０２９４】
一方、ユーザが契約状態にない無線ＬＡＮシステム２００の運営業者に対しては、一定金額の接続料金を提供するほか、当該無線ＬＡＮシステム２００に実際にユーザが接続した回数や接続した時間に応じて接続料金を提供することが考えられる。すなわち、ユーザの接続回数又は接続時間に応じた従量課金方式を採用することが考えられる。
【０２９５】
このような従量課金方式を採用する場合には、無線ＬＡＮシステム２００への接続回数又は接続時間をカウントする機能が必要となる。無線ＬＡＮシステム２００への接続回数又は接続時間をカウントする場合、無線端末４００から無線ＬＡＮシステム２００へのリンク確立の回数や時間を検出することで接続回数又は接続時間を検出することができる。
【０２９６】
本統合無線通信システムでは、無線端末４００と無線ＬＡＮシステム２００とのリンクが確立している間、セルラーシステム１００において、ＩＰアドレスが位置管理装置１０４に登録される一方、リンクが開放されるとそのＩＰアドレスが消去される。したがって、このＩＰアドレスの特性を利用することで、無線ＬＡＮシステム２００への接続回数又は接続時間を検出することができる。
【０２９７】
また、本統合無線通信システムでは、無線端末４００が無線ＬＡＮシステム２００とリンクを確立する場合、認証管理装置１０６が無線端末４００の認証処理を行う。したがって、この認証処理の際に無線ＬＡＮシステム２００に送出される認証完了信号を検出することで無線端末４００の無線ＬＡＮシステム２００への接続回数又は接続時間を検出することができる。
【０２９８】
セルラーシステム１００では、このように検出した接続回数又は接続時間に応じて無線ＬＡＮシステム２００の運営業者への接続料金を算出することで、ユーザが契約状態にない無線ＬＡＮシステム２００の運営業者にも適切に接続料金を提供することができる。
【０２９９】
なお、これらの無線ＬＡＮシステム２００への接続回数又は接続時間の検出は、セルラーネットワーク交換装置１０２で行うことが考えられる。しかし、これに限定されず、図２２に示すように、交換装置３００のＩＰアドレス通知部３００１にＩＰアドレスの通知を検出する機能を搭載した接続回数カウント部３００５、ＩＰアドレスの通知からリンク開放通知までの時間を検出する機能を搭載した接続時間カウント部３００６や、図２３に示すように、交換装置３００の認証完了信号通知部３００２に認証完了信号を検出する機能を搭載した接続回数カウント部３００７を設け、これらが検出した内容に応じてセルラーネットワーク交換装置１０２が接続回数又は接続時間を把握することも考えられる。このように交換装置３００で検出した場合も同様に適切に課金処理を行うことができる。
【０３００】
また、本統合無線通信システムを適用した無線通信サービスを提供する場合には、無線ＬＡＮシステム２００経由の通信経路が選択された場合において、無線端末４００のユーザの契約内容に応じて保証する伝送帯域を差別化することが考えられる。
【０３０１】
例えば、無線端末４００のユーザが契約している無線ＬＡＮシステム２００との接続においては伝送帯域を保証する一方、セルラーシステム１００と提携関係にあるが、無線端末４００のユーザが直接契約していない無線ＬＡＮシステム２００との接続においては、伝送帯域を保証しないで当該無線ＬＡＮの利用状況に応じてベストエフォートで伝送帯域を保証することが考えられる。このように契約内容に応じて保証する伝送帯域に変化させることで、本統合無線通信システムを利用した様々なサービスを提供することができる。
【０３０２】
同様に、上記統合無線通信システムで無線ＬＡＮシステム２００経由の通信経路が選択された場合において、無線端末４００のユーザの契約内容に応じて情報伝送の優先度を持たせることが考えられる。
【０３０３】
例えば、無線端末４００のユーザが契約している無線ＬＡＮシステム２００との接続においては優先的に情報伝送を行う一方、セルラーシステム１００と提携関係にあるが、無線端末４００のユーザが直接契約していない無線ＬＡＮシステム２００との接続においては、その優先度に応じて情報伝送を行うことが考えられる。このように契約内容に応じて情報伝送の優先度を変化させることで、本統合無線通信システムを利用した様々なサービスを提供することができる。
【０３０４】
なお、本発明は、当業者に明らかなように、上記実施の形態に記載した技術に従ってプログラムされた一般的な市販のデジタルコンピュータおよびマイクロプロセッサを使って実施することができる。また、当業者に明らかなように、本発明は、上記実施の形態に記載した技術に基づいて当業者により作成されるコンピュータプログラムを包含する。
【０３０５】
また、本発明を実施するコンピュータをプログラムするために使用できる命令を含む記憶媒体であるコンピュータプログラム製品が本発明の範囲に含まれる。この記憶媒体は、フロッピー（Ｒ）ディスク、光ディスク、ＣＤＲＯＭ及び磁気ディスク等のディスク、ＲＯＭ、ＲＡＭ、ＥＰＲＯＭ、ＥＥＰＲＯＭ、磁気光カード、メモリカードまたはＤＶＤ等であるが、特にこれらに限定されるものではない。
【０３０６】
【発明の効果】
以上説明したように、本発明によれば、セルラーシステム（移動体通信システム）における無線端末の認証機能並びに無線ＬＡＮシステムにおける大容量のデータ伝送機能を備えた無線通信を行うことができる。
【図面の簡単な説明】
【図１】本発明の実施の形態１に係る統合無線通信システムが適用されるネットワークの構成を示すブロック図
【図２】実施の形態１に係るセルラーシステムのセルラーネットワーク交換装置の通信経路を選択する機能を実現する構成を示すブロック図
【図３】実施の形態１に係るセルラーシステムの位置管理装置の構成を示すブロック図
【図４】実施の形態１に係るセルラーシステムのセルラーネットワーク管理装置で管理される情報の一例を示す図
【図５】実施の形態１に係る無線ＬＡＮシステムの無線ＬＡＮ交換装置の構成を示すブロック図
【図６】実施の形態１に係る交換装置の構成を示すブロック図
【図７】実施の形態１に係る無線端末の構成を示すブロック図
【図８】実施の形態１に係る統合無線通信システムにおいて、インターネットに接続された外部端末から無線端末に情報を伝送する場合のフロー図
【図９】本発明の実施の形態２に係る統合無線通信システムにおいて、インターネットに接続された外部端末から無線端末に情報を伝送する場合のフロー図
【図１０】本発明の実施の形態３に係るセルラーネットワーク交換装置の構成を示すブロック図
【図１１】実施の形態３に係る無線ＬＡＮ交換装置の構成を示すブロック図
【図１２】実施の形態３に係る交換装置の構成を示すブロック図
【図１３】実施の形態３に係る統合無線通信システムにおいて、インターネットに接続された外部端末から無線端末に情報を伝送する場合のフロー図
【図１４】本発明の実施の形態４に係る無線端末の構成を示すブロック図
【図１５】実施の形態４に係る統合無線通信システムにおいて、無線端末からインターネットに接続された外部端末に情報を伝送する場合のフロー図
【図１６】本発明の実施の形態５に係る統合無線通信システムにおいて、無線端末からインターネットに接続された外部端末に情報を伝送する場合のフロー図
【図１７】本発明の実施の形態６に係る無線端末の構成を示すブロック図
【図１８】本発明の実施の形態６に係る統合無線通信システムにおいて、無線端末からインターネットに接続された外部端末に情報を伝送する場合のフロー図
【図１９】本発明の実施の形態７に係る無線端末の構成を示すブロック図
【図２０】実施の形態７に係るセルラーネットワーク交換装置の構成を示すブロック図
【図２１】実施の形態７に係る統合無線通信システムにおいて、無線端末からインターネットに接続された外部端末に情報を伝送する場合のフロー図
【図２２】本発明に係る統合無線通信システムの交換装置の変形例を示す図
【図２３】本発明に係る統合無線通信システムの交換装置の変形例を示す図
【符号の説明】
１００　セルラーシステム（移動体通信システム）
１０１　無線基地局装置
１０２　セルラーネットワーク交換装置
１０３　セルラーエリア
１０４　位置管理装置
１０５　セルラーネットワーク管理装置
１０６　認証管理装置
２００　無線ＬＡＮシステム
２０１　無線ＬＡＮアクセス装置
２０２　無線ＬＡＮ交換装置
２０３　無線ＬＡＮ管理装置
２０４　無線ＬＡＮエリア
３００　交換装置
４００　無線端末
５００　インターネット
６００　公衆電話網
【図１】
2004129163.tif 000003
【図２】
2004129163.tif 000004
【図３】
2004129163.tif 000005
【図４】
2004129163.tif 000006
【図５】
2004129163.tif 000007
【図６】
2004129163.tif 000008
【図７】
2004129163.tif 000009
【図８】
2004129163.tif 000010
【図９】
2004129163.tif 000011
【図１０】
2004129163.tif 000012
【図１１】
2004129163.tif 000013
【図１２】
2004129163.tif 000014
【図１３】
2004129163.tif 000015
【図１４】
2004129163.tif 000016
【図１５】
2004129163.tif 000017
【図１６】
2004129163.tif 000018
【図１７】
2004129163.tif 000019
【図１８】
2004129163.tif 000020
【図１９】
2004129163.tif 000021
【図２０】
2004129163.tif 000022
【図２１】
2004129163.tif 000023
【図２２】
2004129163.tif 000024
【図２３】
2004129163.tif 000025